(57)【要約】【課題】先入れ後出し方式で媒体を収納する場合に当該媒体を再利用するまでの期間を延長し得るようにする。【解決手段】紙幣入出金機１０は、２個の紙幣カセット１７に同一の金種を割り当て、入金取引において顧客から入金された紙幣を取込紙幣カセット内に取り込んで収納し、出金取引の際には、繰出紙幣カセット内の紙幣ＢＬを繰り出して顧客に出金する。このため紙幣入出金機１０は、入金取引において顧客から入金された紙幣ＢＬをしばらく出金せずに保持することができる。これにより紙幣入出金機１０は、仮に入金取引において偽造紙幣を鑑別できずに取り込んだとしても、繰り出されるまでの間に鑑別情報が更新されることにより、この偽造紙幣を出金取引の際に鑑別して排除できるので、他の顧客への出金を未然に防ぐことができる。【選択図】図６
2015022615.tif 000002
【特許請求の範囲】
【請求項１】
利用者との間で媒体を受け渡す受渡部と、
前記媒体を搬送する搬送部と、
前記媒体を複数収納すると共に、前記受渡部から前記搬送部により搬送されてきた前記媒体を取り込んで収納する取込動作モード又は収納している前記媒体を先入れ後出し方式で繰り出して前記搬送部により前記受渡部へ搬送する操出動作モードで動作する複数の収納庫と、
１以上の前記収納庫を前記操出動作モードに設定すると共に他の１以上の前記収納庫を取込動作モードに設定してそれぞれ動作させ、前記操出動作モードで動作する前記収納庫からの前記媒体の操出及び前記取込動作モードで動作する前記収納庫への前記媒体の取込のうち少なくとも一方を行い得なくなることを表す準備条件が満たされた場合、前記媒体を前記取込動作モードの前記収納庫に取り込み得ると共に過去に取り込まれた前記媒体を前記繰出動作モードの前記収納庫から繰り出し得る状態とする準備処理を行う制御部と
を具えることを特徴とする媒体収納装置。
【請求項２】
前記制御部は、前記準備処理として、前記操出動作モードで動作していた前記収納庫を前記取込動作モードに切り替えると共に前記取込動作モードで動作していた前記収納庫を繰出動作モードに切り替える入替処理を行う
ことを特徴とする請求項１に記載の媒体収納装置。
【請求項３】
前記制御部は、前記準備処理として、前記入替処理に加えて、前記繰出動作モードに切り替えられた前記収納庫から、収納されている一部の前記媒体を、前記取込動作モードに切り替えられた前記収納庫へ移動させる一部移動処理を行う
ことを特徴とする請求項２に記載の媒体収納装置。
【請求項４】
前記制御部は、前記一部移動処理において、前記繰出動作モードに切り替えられた前記収納庫に収納されている前記媒体の一部を前記受渡部へ移動させ、移動させた前記媒体を当該受渡部から前記取込動作モードに切り替えられた前記収納庫へ移動させる
ことを特徴とする請求項３に記載の媒体収納装置。
【請求項５】
前記制御部は、前記一部移動処理において移動させる前記媒体の数を、前記受渡部に収容可能な数以下とする
ことを特徴とする請求項４に記載の媒体収納装置。
【請求項６】
前記制御部は、前記準備処理として、前記取込動作モードの前記収納庫から、収納されている一部又は全部の前記媒体を、前記繰出動作モードの前記収納庫へ移動させる
ことを特徴とする請求項１に記載の媒体収納装置。
【請求項７】
前記制御部は、前記繰出動作モードの前記収納庫に収納された前記媒体の数が所定の閾値以下となること、当該閾値未満となること又は０となることを前記準備条件とする
ことを特徴とする請求項１に記載の媒体収納装置。
【請求項８】
前記制御部は、前記取込動作モードの前記収納庫に収納された前記媒体の数が所定の閾値以上となること、当該閾値を超えること又は当該収納庫に収納可能な最大数となることを前記準備条件とする
ことを特徴とする請求項１に記載の媒体収納装置。
【請求項９】
利用者との間で媒体を受け渡す受渡部と、
前記媒体を搬送する搬送部と、
最新の鑑別条件に基づき前記媒体の正当性を鑑別する鑑別部と、
前記媒体を複数収納すると共に、前記受渡部から前記搬送部により搬送された前記媒体を取り込んで収納する取込動作モード、又は収納している前記媒体を先入れ後出し方式で繰り出して前記搬送部により搬送し前記鑑別部において正当であると鑑別されたものを前記受渡部へ搬送する操出動作モードで動作する複数の収納庫と、
１以上の前記収納庫を前記操出動作モードに設定すると共に他の１以上の前記収納庫を前記取込動作モードに設定してそれぞれ動作させ、前記操出動作モードで動作する前記収納庫からの前記媒体の操出及び前記取込動作モードで動作する前記収納庫への前記媒体の取込のうち少なくとも一方を行い得なくなることを表す準備条件が満たされた場合、前記媒体を前記取込動作モードの前記収納庫に取り込み得ると共に過去に取り込まれた前記媒体を前記繰出動作モードの前記収納庫から繰り出し得る状態とする準備処理を行う制御部と
を具えることを特徴とする媒体取引装置。
【発明の詳細な説明】
【技術分野】
【０００１】
本発明は媒体収納装置及び媒体取引装置に関し、例えば紙幣等の媒体を投入させ、或いは当該媒体を排出して所望の取引を行う現金自動預払機（ＡＴＭ）等に適用して好適なものである。
【背景技術】
【０００２】
従来、金融機関やコンビニエンスストア等に設置される現金自動預払機においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う接客部と、紙幣を搬送する搬送部と、投入された紙幣の金種及び真偽を鑑別する鑑別部と、投入された紙幣を一時的に保留する一時保留部と、金種ごとに紙幣を収納する紙幣カセットと、再使用すべきでない紙幣を収納するリジェクトカセットとを有するものが提案されている。
【０００４】
この現金自動預払機は、入金取引において、顧客が接客部に紙幣を投入すると、投入された紙幣を搬送して鑑別部で鑑別し、正常紙幣と鑑別された紙幣を一時保留部へ収納する一方、取引すべきでないと鑑別された紙幣を接客部へ戻して顧客に返却する。
【０００５】
続いて現金自動預払機は、顧客により入金金額が確定されると、一時保留部に収納している紙幣を繰り出してその金種を鑑別部により再鑑別し、鑑別された金種に応じて各紙幣カセットに収納すると共に、損傷の程度が大きいと鑑別された紙幣をリジェクトカセットに収納する。
【０００６】
また現金自動預払機は、出金処理において、顧客の操作指示により出金すべき金額が確定すると、紙幣カセットから出金すべき金額に応じた紙幣を繰り出して搬送部により搬送し、鑑別部により正常な紙幣が過不足なく繰り出されたことを鑑別した後、紙幣入出金口へ搬送して顧客に取り出させる。
【０００７】
ところで現金自動預払機のなかには、入金取引において顧客から入金された紙幣を紙幣カセットに取り込んで収納する一方、以降の出金取引において当該紙幣カセットから当該紙幣を繰り出して出金する、いわゆるリサイクル型（環流型）と呼ばれる手法で紙幣を取り扱うものがある（例えば、特許文献１参照）。
【０００８】
このリサイクル型に対応した紙幣カセットの一例として、紙幣を収納するための収納空間が上下方向に長く形成され、取り込んだ紙幣をこの収納空間内に紙面を上下に向けて集積するようになされたものがある。
【０００９】
この紙幣カセットには、収納空間の上方に、取込時には搬送されてきた紙幣を収納空間内へ放出する一方、操出時には収納空間内の集積されている紙幣を１枚ずつに分離する分離放出部が設けられている。
【００１０】
このため紙幣カセットでは、後から取り込まれた紙幣が先に繰り出される、いわゆる後入れ先出し方式で紙幣が入出されることになる。
【先行技術文献】
【特許文献】
【００１１】
【特許文献１】特開２００５−２０２７０７公報（段落［００２１］等）
【発明の概要】
【発明が解決しようとする課題】
【００１２】
ところで現金自動預払機では、鑑別部において所定の鑑別条件に基づき、紙幣の真偽を鑑別することになる。特に精巧な偽造券が新たに流通した場合、現金自動預払機では、この偽造券の特徴に合わせて鑑別条件が更新され、更新後の鑑別条件に基づいて紙幣の真偽を鑑別することになる。
【００１３】
しかしながら、新たな偽造券の流通が始まってからその特徴が把握されて鑑別条件が更新されるまでは、ある程度の期間を要する。
【００１４】
一方、現金自動預払機では、紙幣カセットに対し後入れ先出し方式で紙幣の収納及び繰出を行うため、ある入金取引において入金された紙幣を直後の出金取引において出金する場合も想定される。
【００１５】
このため現金自動預払機では、入金取引において新たな偽造券が入金され、且つ鑑別部において真券と判断されてしまい、鑑別条件が更新される前に出金取引が行われてこの偽造券が紙幣カセットから繰り出された場合、この偽造券が鑑別部において再び真券と判断され、そのまま出金されてしまう恐れがある、という問題があった。
【００１６】
本発明は以上の点を考慮してなされたもので、先入れ後出し方式で媒体を収納庫に収納しながら十分な時間の経過後に当該媒体を再利用し得る媒体収納装置及び媒体取引装置を提案しようとするものである。
【課題を解決するための手段】
【００１７】
かかる課題を解決するため本発明の媒体収納装置においては、利用者との間で媒体を受け渡す受渡部と、媒体を搬送する搬送部と、媒体を複数収納すると共に、受渡部から搬送部により搬送されてきた媒体を取り込んで収納する取込動作モード又は収納している媒体を先入れ後出し方式で繰り出して搬送部により受渡部へ搬送する操出動作モードで動作する複数の収納庫と、１以上の収納庫を操出動作モードに設定すると共に他の１以上の収納庫を取込動作モードに設定してそれぞれ動作させ、操出動作モードで動作する収納庫からの媒体の操出及び取込動作モードで動作する収納庫への媒体の取込のうち少なくとも一方を行い得なくなることを表す準備条件が満たされた場合、媒体を取込動作モードの収納庫に取り込み得ると共に過去に取り込まれた媒体を繰出動作モードの収納庫から繰り出し得る状態とする準備処理を行う制御部とを設けるようにした。
【００１８】
また本発明の媒体取引装置においては、利用者との間で媒体を受け渡す受渡部と、媒体を搬送する搬送部と、最新の鑑別条件に基づき媒体の正当性を鑑別する鑑別部と、媒体を複数収納すると共に、受渡部から搬送部により搬送された媒体を取り込んで収納する取込動作モード、又は収納している媒体を先入れ後出し方式で繰り出して搬送部により搬送し鑑別部において正当であると鑑別されたものを受渡部へ搬送する操出動作モードで動作する複数の収納庫と、１以上の収納庫を操出動作モードに設定すると共に他の１以上の収納庫を取込動作モードに設定してそれぞれ動作させ、操出動作モードで動作する収納庫からの媒体の操出及び取込動作モードで動作する収納庫への媒体の取込のうち少なくとも一方を行い得なくなることを表す準備条件が満たされた場合、媒体を取込動作モードの収納庫に取り込み得ると共に過去に取り込まれた媒体を繰出動作モードの収納庫から繰り出し得る状態とする準備処理を行う制御部とを設けるようにした。
【００１９】
本発明は、取り込んだ媒体を取込動作モードの収納庫に収納する一方、操出動作モードの収納庫に収納されている媒体を繰り出すことにより、収納庫に取り込まれた媒体が直ちに繰り出されることを防止でき、さらに準備条件が満たされた場合に準備処理を行うことにより媒体を再利用して処理を継続することができる。
【発明の効果】
【００２０】
本発明によれば、取り込んだ媒体を取込動作モードの収納庫に収納する一方、操出動作モードの収納庫に収納されている媒体を繰り出すことにより、収納庫に取り込まれた媒体が直ちに繰り出されることを防止でき、さらに準備条件が満たされた場合に準備処理を行うことにより媒体を再利用して処理を継続することができる。かくして本発明は、先入れ後出し方式で媒体を収納庫に収納しながら十分な時間の経過後に当該媒体を再利用し得る媒体収納装置及び媒体取引装置を実現できる。
【図面の簡単な説明】
【００２１】
【図１】現金自動預払機の構成を示す略線的斜視図である。
【図２】紙幣入出金機の構成を示す略線的側面図である。
【図３】紙幣カセット管理テーブルを示す略線図である。
【図４】紙幣カセットの構成を示す略線的側面図である。
【図５】第１の実施の形態による紙幣カセット準備処理手順を示すフローチャートである。
【図６】第１の実施の形態による動作モードの切替処理を示す略線図である。
【図７】第２の実施の形態による紙幣カセット準備処理手順を示すフローチャートである。
【図８】第２の実施の形態による動作モードの切替処理を示す略線図である。
【図９】取引に伴う各紙幣カセットの状態の変化を示す略線図である。
【図１０】第３の実施の形態による紙幣カセット準備処理手順を示すフローチャートである。
【図１１】第３の実施の形態による動作モードの切替処理を示す略線図である。
【発明を実施するための形態】
【００２２】
以下、発明を実施するための形態（以下実施の形態とする）について、図面を用いて説明する。
【００２３】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００２４】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に顧客応対部３が設けられている。
【００２５】
顧客応対部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００２６】
カード入出口４は、キャッシュカード等の各種カードが挿入または排出される部分である。カード入出口４の奥側には、各種カードに磁気記録された口座番号等の読み取りを行うカード処理部（図示せず）が設けられている。
【００２７】
入出金口５は、顧客が入金する紙幣が投入されると共に、顧客へ出金する紙幣ＢＬが排出される部分である。また入出金口５は、シャッタを駆動することにより開放又は閉塞するようになされている。因みに紙幣は、例えば長方形の紙で構成されている。
【００２８】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。
【００２９】
テンキー７は、「０」〜「９」の数字等の入力を受け付ける物理キーであり、暗証番号や取引金額等の入力操作時に用いられる。
【００３０】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００３１】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００３２】
筐体２内には、現金自動預払機１全体を統括制御する主制御部９や、紙幣に関する種々の処理を行う紙幣入出金機１０等が設けられている。
【００３３】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。
【００３４】
また主制御部９は、内部にＲＡＭ（Random Access Memory）、ハードディスクドライブやフラッシュメモリ等でなる記憶部を有しており、この記憶部に種々の情報を記憶させるようになされている。
【００３５】
因みに筐体２は、前面側やその後面側等の一部の側面が開閉可能な扉により構成されている。すなわち筐体２は、顧客との間で現金に関する取引を行う取引動作時には、図１に示したように各扉を閉塞することにより、紙幣入出金機１０内に収納している紙幣を保護する。一方筐体２は、作業者等が保守作業を行う保守作業時には、必要に応じて各扉を開放することにより、内部の各部に対する作業を容易に行わせ得るようになされている。
【００３６】
紙幣入出金機１０は、図２に側面図を示すように、内部に紙幣に関する種々の処理を行う複数の部分が組み込まれている。また紙幣入出金機１０の各部分は、紙幣制御部１１により制御される。
【００３７】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理等、種々の処理を行うようになされている。
【００３８】
また紙幣制御部１１は、内部にＲＡＭ及びフラッシュメモリ等でなる記憶部１１Ａを有しており、この記憶部に種々の情報を記憶させるようになされている。
【００３９】
紙幣制御部１１は、例えば顧客が紙幣を入金する入金取引を行う場合、操作表示部６（図１）を介して所定の操作入力を受け付けた後、シャッタを開いて接客部１２内に形成された収容空間１２Ａへ紙幣を投入させる。
【００４０】
接客部１２は、所定のセンサにより収容空間１２Ａ内に紙幣が１枚以上収容されているか否か、及び収容空間１２Ａ内に収容可能な最大量の紙幣が収納されているか否かを検知し、その検知結果を紙幣制御部１１へ通知する。
【００４１】
接客部１２は、収容空間１２Ａに紙幣が投入されると、シャッタを閉じて当該収容空間１２Ａ内から紙幣を１枚ずつ繰り出し、搬送部１３へ受け渡す。搬送部１３は、複数のローラやベルト等により構成されており、長方形の紙葉状に構成された紙幣を短辺方向に沿って進行させ、鑑別部１４へ搬送する。
【００４２】
鑑別部１４は、その内部で紙幣を搬送しながら、光学素子や磁気検出素子等を用いて当該紙幣の金種及び真偽、並びに損傷の程度等を鑑別し、その鑑別結果を紙幣制御部１１へ通知する。これに応じて紙幣制御部１１は、取得した鑑別結果に基づいて当該紙幣の搬送先を決定する。
【００４３】
因みに鑑別部１４は、紙幣の真偽を鑑別するための真偽情報が随時更新されることにより、新たな偽造紙幣にも対応し得るようになっている。
【００４４】
このとき搬送部１３は、鑑別部１４において正常紙幣と鑑別された紙幣を一時保留部１５へ搬送する等して一時的に保留させる一方、取引すべきでないと鑑別されたリジェクト紙幣を接客部１２へ搬送して顧客に返却する。
【００４５】
その後紙幣制御部１１は、操作表示部６を介して顧客に入金金額を確定させ、一時保留部１５に保留している紙幣を搬送部１３により鑑別部１４へ搬送してその金種及び損傷の程度等を鑑別させ、その鑑別結果を取得する。
【００４６】
そして紙幣制御部１１は、紙幣の損傷の程度が大きければ、これを再利用すべきでない紙幣として搬送部１３によりリジェクトカセット１６へ搬送して収納させ、損傷の程度が小さければ、これを再利用すべき紙幣として搬送部１３により搬送させ、その金種に応じた紙幣カセット１７に収納させる。
【００４７】
また紙幣制御部１１は、例えば顧客が紙幣を出金する出金取引を行う場合、操作表示部６（図１）を介して所定の操作入力を受け付けた後、出金すべき金額に応じた紙幣を紙幣カセット１７から繰り出させ、搬送部１３により鑑別部１４へ搬送させる。
【００４８】
続いて紙幣制御部１１は、この紙幣を鑑別部１４により鑑別させた上で、搬送部１３により接客部１２へ搬送して収容空間１２Ａ内に集積させ、入出金口５（図１）のシャッタを開いて顧客に取り出させる。
【００４９】
ところで紙幣入出金機１０には、第１紙幣カセット１７Ａ、第２紙幣カセット１７Ｂ、第３紙幣カセット１７Ｃ、第４紙幣カセット１７Ｄ及び第５紙幣カセット１７Ｅ（以下、これらをまとめて紙幣カセット１７と呼ぶ）が前側から後側へ整列するように設けられている。
【００５０】
また紙幣制御部１１は、各紙幣カセット１７に収納されている紙幣ＢＬの枚数である収納枚数を記憶部１１Ａに記憶させると共に、随時更新するようになされている。
【００５１】
具体的に記憶部１１Ａは、図３に示すように、各紙幣カセット１７とそれぞれにおける紙幣ＢＬの収納枚数を対応付けて格納した紙幣カセット管理テーブルＴＢＬ１を記憶している。
【００５２】
因みに各紙幣カセット１７における収納枚数の初期値は、各紙幣カセット１７に予め収納された紙幣ＢＬの枚数に応じて、保守作業者等による所定の設定作業により正しい値が設定される。
【００５３】
紙幣制御部１１は、入金取引や出金取引において、紙幣ＢＬを各紙幣カセット１７へ収納する度に、及び各紙幣カセット１７から紙幣ＢＬを繰り出す度に、当該紙幣カセット管理テーブルＴＢＬ１の収納枚数を更新して増減させる。このため紙幣カセット管理テーブルＴＢＬ１は、各紙幣カセット１７における最新の収納枚数が常に反映されることになる。
【００５４】
また紙幣カセット管理テーブルＴＢＬ１には、紙幣カセット１７毎に対応付けて、「収納枚数」に加えて、「金種」、「動作モード」、「最大枚数」、「上限検知枚数」及び「下限検知枚数」といった種々の項目が設けられている。
【００５５】
このうち「金種」項目には、例えば「１００元」、「５０元」並びに「１０元及び２０元」といった紙幣ＢＬの金種を表す情報が格納される。
【００５６】
また「動作モード」項目には、「逐次動作モード」、「取込動作モード」及び「操出動作モード」といった動作モードを表す情報が格納される（詳しくは後述する）。
【００５７】
「最大枚数」には、例えば「２１０００」のように、各紙幣カセット１７に収納し得る紙幣ＢＬの最大枚数を表す値が格納される。
【００５８】
「上限検知枚数」には、例えば「２００００」のように、「最大枚数」よりも小さく且つその近傍の値であって、収納枚数が増加している場合に間もなく最大枚数に到達すること（すなわち満杯になること）を検知したい枚数（以下これを「上限検知枚数」と呼ぶ）の値が、予め設定されて格納される。
【００５９】
「下限検知枚数」には、例えば「１０００」のように、「０」よりも大きく且つその近傍の値であって、収納枚数が減少している場合に間もなく収納枚数が０枚に到達することを検知したい枚数（以下これを「下限検知枚数」と呼ぶ）の値が、予め設定されて格納される。
【００６０】
因みに紙幣入出金機１０は、１回の入金取引や出金取引において顧客との間で授受する紙幣ＢＬの最大枚数（以下これを最大取引枚数と呼ぶ）を２００枚と設定している。これに合わせて紙幣入出金機１０は、接客部１２及び一時保留部１５における収納可能な最大の枚数も、最大取引枚数である２００枚となっている。
【００６１】
このように紙幣入出金機１０は、入金取引において接客部１２に入金された紙幣を紙幣カセット１７へ搬送し取り込んで収納する一方、出金取引において紙幣カセット１７内から紙幣を繰り出して接客部１２へ搬送して出金することにより、紙幣を環流（リサイクル）するようになされている。
【００６２】
［１−２．紙幣カセットの構成］
収納庫としての紙幣カセット１７は、図４に模式的に示すように、直方体状の筐体２１内に媒体としての紙幣ＢＬを取り込んで集積するようになされている。因みに図４は右側面図を表している。また説明の都合上、一部の部品については透過させ、或いは省略している。
【００６３】
筐体２１は前後、左右及び上下の各側面をほぼ閉塞しており、内部に集積された紙幣ＢＬや各部品等を保護するようになされている。筐体２１内には、直方体状の内部空間２１Ｓが形成されている。この内部空間２１Ｓ内には、平板状のステージ２３が設けられている。
【００６４】
ステージ２３は、板面をほぼ水平に向けており、内部空間２１Ｓを上下に二分すると共にその上側を集積空間ＣＳとして、当該ステージ２３の上面に紙幣ＢＬを集積する。またステージ２３は、図示しないステージ駆動機構により上下方向へ移動されるようになされている。
【００６５】
筐体２１の上側における後ろ寄りの部分には、複数のローラ及び搬送ガイドの組み合わせにより構成された分離放出部２５が設けられている。この分離放出部２５は、放出モード及び分離モードといった２種類の動作モードで動作するようになされている。
【００６６】
放出モードは、各ローラを適宜回転させることにより、搬送部１３により搬送されてきた紙幣ＢＬを紙幣カセット１７内に取り込む際に、当該紙幣ＢＬを搬送路Ｗに沿って下方へ搬送して集積空間ＣＳ内へ放出する動作モードである。
【００６７】
分離モードは、各ローラを適宜回転させることにより、紙幣カセット１７内の紙幣ＢＬを繰り出して搬送部１３へ受け渡す際に、集積されている紙幣ＢＬから最上面の紙幣ＢＬを１枚ずつに分離し、搬送路Ｗに沿って上方へ搬送する動作モードである。
【００６８】
また分離放出部２５は、搬送路Ｗを通過する紙幣ＢＬを検知するセンサが設けられており、このセンサの検知結果を表す検知信号を紙幣制御部１１へ送出する。
【００６９】
紙幣制御部１１は、この検知信号を基に紙幣カセット１７に１枚の紙幣ＢＬが取り込まれたことや当該紙幣カセット１７から１枚の紙幣ＢＬが繰り出されたこと等を認識すると共に、紙幣カセット管理テーブルＴＢＬ１に格納されている収納枚数を更新するようになされている。
【００７０】
さらに集積空間ＣＳの前面側における上端近傍、すなわち前扉２２の後面における上寄りの箇所には、図示しない弾性体を介してビルストッパ２６が設けられている。ビルストッパ２６は、小さな直方体状に形成されており、分離放出部２５から放出された紙幣ＢＬが衝突すると、弾性体の作用により当該紙幣ＢＬの衝撃を吸収し、僅かに後方へ押し戻す。
【００７１】
また紙幣カセット１７には、紙幣ＢＬの集積状態等を検知するセンサとして、最上面検知部３１、残留検知部３２、ステージ上限検知部３３及びステージ下限検知部３４とが設けられている。
【００７２】
最上面検知部３１は、検知光Ｌ１を発光する発光部３１Ａと、当該検知光Ｌ１を受光する受光部３１Ｂとにより構成されている。
【００７３】
発光部３１Ａは、筐体２１の上側部分に取り付けられており、検知光Ｌ１を下斜め後方へ向けて発光する。また受光部３１Ｂは、筐体２１の後側部分に取り付けられており、上斜め前方から進行してくる検知光Ｌ１を受光する。
【００７４】
最上面検知部３１は、ステージ２３の上面又は当該ステージ２３上に載置された紙幣ＢＬの最上面（以下これを載置最上面と呼ぶ）が所定の高さＨ１よりも低い位置にあるとき、受光部３１Ｂにおいて検知光Ｌ１を受光できる。一方最上面検知部３１は、載置最上面が高さＨ１よりも高い位置にあるとき、受光部３１Ｂにおいて検知光Ｌ１を受光できない。
【００７５】
受光部３１Ｂは、検知光Ｌ１を受光したか否かを表す最上面検知信号を生成し、これを紙幣制御部１１（図２）へ供給する。これに応じて紙幣制御部１１は、この最上面検知信号を基に、載置最上面が高さＨ１よりも高いか否かを認識することができる。
【００７６】
因みに高さＨ１は、分離放出部２５により集積空間ＣＳ内に紙幣ＢＬを放出するために必要な高さに相当する。
【００７７】
残留検知部３２は、検知光Ｌ２を発光する発光部３２Ａと、当該検知光Ｌ２を受光する受光部３２Ｂとにより構成されている。
【００７８】
発光部３２Ａは、筐体２１の上側部分に取り付けられており、ほぼ真下へ向けて検知光Ｌ２を発光する。また受光部３２Ｂは、筐体２１の上側部分における発光部３２Ａの前方に取り付けられており、ほぼ真下から進行してくる検知光Ｌ２を受光する。
【００７９】
さらにステージ２３内には、発光部３２Ａ及び受光部３２Ｂのほぼ真下となる２箇所に、検知光Ｌ２を反射するミラー２３Ｍがそれぞれ組み込まれている。各ミラー２３Ｍは、それぞれの反射面を上斜め前方向及び上斜め後方向に向けている。
【００８０】
残留検知部３２は、ステージ２３上に紙幣ＢＬが載置されていない場合、発光部３２Ａから発光した検知光Ｌ２を、各ミラー２３Ｍにより順次反射させ、受光部３２Ｂにより受光する。一方残留検知部３２は、ステージ２３上に１枚以上の紙幣ＢＬが載置されている場合、検知光Ｌ２が当該紙幣ＢＬにより遮光されるため、受光部３２Ｂにおいて受光できない。
【００８１】
受光部３２Ｂは、検知光Ｌ２を受光したか否かを表す残留検知信号を生成し、これを紙幣制御部１１（図２）へ供給する。紙幣制御部１１は、この残留検知信号を基に、ステージ２３上に紙幣ＢＬが１枚以上残留しているか否かを認識することができる。
【００８２】
因みに、紙幣カセット１７においてステージ２３上に紙幣ＢＬが残留していないことは、当該紙幣カセット１７における紙幣ＢＬの収納状態が「空」であり、紙幣ＢＬの残量が「０」であることを表す。
【００８３】
ステージ上限検知部３３は、筐体２１の後側部における、ステージ２３の移動範囲における上限付近に取り付けられている。
【００８４】
このステージ上限検知部３３は、所定の検知光を発光する発光部（図示せず）及びこの検知光を受光する受光部（図示せず）により構成される。この発光部及び受光部は、左右に所定の間隔を空けて対向している。
【００８５】
一方、ステージ２３の後側には、図示しない遮光突起が立設されている。ステージ２３は、移動可能な範囲のうち最も上側の位置（すなわち上限）に移動したときに、遮光突起によりステージ上限検知部３３の検知光を遮光する。
【００８６】
ステージ上限検知部３３は、受光部により検知光を受光したか否かを表すステージ上限検知信号を生成し、これを紙幣制御部１１（図２）へ供給する。これに応じて紙幣制御部１１は、このステージ上限検知信号を基に、ステージ２３が移動範囲の上限に達したか否かを認識することができる。
【００８７】
ステージ下限検知部３４は、筐体２１の後側部における、ステージ２３の移動範囲における下限付近に取り付けられている。
【００８８】
このステージ下限検知部３４は、ステージ上限検知部３３と同様に構成されており、受光部により検知光を受光したか否かを表すステージ下限検知信号を生成し、これを紙幣制御部１１（図２）へ供給する。これに応じて紙幣制御部１１は、このステージ下限検知信号を基に、ステージ２３が移動範囲の下限に達したか否かを認識することができる。
【００８９】
このように紙幣カセット１７は、最上面検知部３１及び残留検知部３２によりステージ２３上における紙幣ＢＬの有無及び高さＨ１までの集積を検知すると共に、ステージ上限検知部３３及びステージ下限検知部３４によりステージ２３が上限位置又は下限位置にあることをそれぞれ検知し、その検知結果を紙幣制御部１１へ通知するようになされている。
【００９０】
［１−３．紙幣カセットの動作］
［１−３−１．基本的な動作］
ところで紙幣カセット１７は、基本的な動作として、紙幣制御部１１の制御に基づき、紙幣ＢＬの取込動作及び操出動作という２通りの動作を行い得るようになっている。
【００９１】
取込動作は、搬送部１３から搬送されてくる紙幣ＢＬを内部に取り込んで収納する動作である。また操出動作は、内部に収納されている紙幣ＢＬを順次繰り出して搬送部１３に受け渡す動作である。
【００９２】
紙幣制御部１１は、紙幣カセット１７に取込動作をさせる場合、まずステージ上限検知部３３からのステージ上限検知信号及び最上面検知部３１からの最上面検知信号を監視しながら、ステージ駆動機構（図示せず）を制御してステージ２３を可能な限り上方へ移動させる。
【００９３】
紙幣制御部１１は、最上面検知信号を基に載置最上面（ステージ２３の上面又は当該ステージ２３上に載置された紙幣ＢＬの最上面）が高さＨ１よりも高いことを認識した場合、又はステージ上限検知信号を基にステージ２３が移動範囲の上限に達したことを認識した場合、ステージ２３の上方への移動を中止する。
【００９４】
続いて紙幣制御部１１は、最上面検知部３１からの最上面検知信号を監視しながらステージ２３を徐々に下方へ移動させていく。
【００９５】
紙幣制御部１１は、載置最上面が高さＨ１に達したことを認識すると、ステージ２３をその高さから所定の移動距離ΔＨだけ下方へ移動させる。因みに移動距離ΔＨは、例えば紙幣ＢＬを１０枚重ねたときの厚さに相当する距離となっている。
【００９６】
その後紙幣制御部１１は、紙幣カセット１７の分離放出部２５を放出モードで動作させる。このとき分離放出部２５は、搬送部１３から搬送されてきた紙幣ＢＬを搬送路Ｗに沿って下方ないし前方へ搬送し、集積空間ＣＳの後面側における上端近傍から前方へ向けて紙幣ＢＬを放出する。
【００９７】
その後紙幣ＢＬは、ビルストッパ２６に衝突して衝撃が吸収されてから、図示しない羽根車により下方へ叩き落とされ、ステージ２３の上又は当該ステージ２３上に集積されている紙幣ＢＬの上に積み重ねられる。
【００９８】
このとき紙幣制御部１１は、最上面検知部３１からの最上面検知信号を常に監視しており、紙幣ＢＬが順次ステージ２３上に集積されることによってその最上面（すなわち載置最上面）が上昇して高さＨ１を超えたとき、最上面検知信号を基にこのことを認識する。
【００９９】
このとき紙幣制御部１１は、図示しないステージ駆動部を制御してステージ２３を移動距離ΔＨだけ下方へ移動させる。これにより紙幣制御部１１は、集積空間ＣＳの高さを、紙幣ＢＬの放出に必要な距離以上に維持することができる。
【０１００】
また紙幣制御部１１は、ステージ下限検知部３４からのステージ下限検知信号も常に監視しており、ステージ２３が移動範囲の下限に到達したとき、当該ステージ下限検知信号を基にこのことを認識する。
【０１０１】
このとき紙幣制御部１１は、紙幣ＢＬが順次ステージ２３上に集積されることによって
次に載置最上面が上昇して高さＨ１を超えた時点で、紙幣カセット１７に収納可能な最大枚数の紙幣ＢＬを収納したことになり、これ以上紙幣ＢＬを収納できないと判断する。
【０１０２】
この場合、紙幣制御部１１は、この紙幣カセット１７が「満杯」になったものと認識して、これに応じた所定の処理を実行する。
【０１０３】
また紙幣制御部１１は、紙幣カセット１７に操出動作をさせる場合、まず残留検知部３２からの残留検知信号を基に、ステージ２３上に紙幣ＢＬが１枚以上残留しているか否かを判断し、紙幣ＢＬが残留していない場合には、所定のエラー処理を実行する。
【０１０４】
一方紙幣制御部１１は、ステージ２３上に紙幣ＢＬが１枚以上残留していた場合、ステージ２３を上方へ移動させ、紙幣ＢＬの最上面である載置最上面を分離放出部２５に当接させ、当該分離放出部２５を分離モードで動作させる。
【０１０５】
具体的に分離放出部２５は、各ローラを適宜回転させることにより、ステージ２３上に集積されている紙幣ＢＬのうち最上面の紙幣ＢＬを１枚ずつに分離して繰り出し、搬送路Ｗに沿って上方へ搬送して、搬送部１３へ受け渡していく。
【０１０６】
ここで紙幣カセット１７では、最後に取り込まれた紙幣ＢＬが集積されている紙幣ＢＬの最上面に重ねられ、且つこの集積された紙幣ＢＬの最上面から紙幣ＢＬを繰り出す。すなわち紙幣カセット１７は、後から取り込まれた紙幣が先に繰り出される、いわゆる後入れ先出し方式により紙幣ＢＬが繰り出される。
【０１０７】
このとき紙幣制御部１１は、残留検知部３２からの残留検知信号を基に、ステージ２３上に紙幣ＢＬが１枚以上残留しているか否かを判断し、紙幣ＢＬが残留していない場合には、紙幣カセット１７内の紙幣ＢＬが全て排出されたものと判断する。
【０１０８】
この場合、紙幣制御部１１は、この紙幣カセット１７が「空」になったものと認識して、これに応じた所定の処理を実行する。
【０１０９】
このように紙幣制御部１１は、ステージ２３の位置や紙幣ＢＬの残留の状態を監視しながら、当該ステージ２３及び分離放出部２５の動作を制御することにより、紙幣カセット１７に紙幣ＢＬの取込動作又は操出動作を行わせる。
【０１１０】
［１−３−２．動作モードの設定］
ところで紙幣制御部１１は、各紙幣カセット１７に対し、従来と同様に操出動作及び取込動作を逐次切り替えて行う逐次動作モードに加えて、取込動作のみを行わせる取込動作モード及び操出動作のみを行わせる操出動作モードといった３通りの動作モードを設定し得るようになされている。
【０１１１】
紙幣カセット１７は、逐次動作モードに設定された場合、入金取引においては入金された紙幣ＢＬの取込動作を行い、出金取引においては出金すべき紙幣ＢＬの操出動作を行う。このとき紙幣カセット１７では、後の入金取引において取り込まれた紙幣ＢＬから先に、出金取引において繰り出されることになる。
【０１１２】
一方、紙幣カセット１７は、取込動作モードに設定された場合、入金取引においては入金された紙幣ＢＬの取込動作を行うものの、出金取引においては何ら動作しない。
【０１１３】
このため取込動作モードに設定された紙幣カセット１７（以下これを取込紙幣カセットと呼ぶ）内には、次々に行われる取引処理のうち入金取引により入金された紙幣ＢＬが、当該入金取引が行われた順に下から上に積み重ねられるようにして、集積されていく。
【０１１４】
紙幣カセット１７は、操出動作モードに設定された場合、取込動作モードとは反対に、出金取引においては出金すべき紙幣ＢＬの操出動作を行うものの、入金取引においては何ら動作しない。
【０１１５】
このため操出動作モードに設定された紙幣カセット１７（以下これを操出紙幣カセットと呼ぶ）からは、次々に行われる取引処理のうち出金取引により出金すべき枚数の紙幣ＢＬが、集積されている紙幣ＢＬのうち上側から順に繰り出されていく。
【０１１６】
これを換言すれば、操出動作モードに設定された紙幣カセット１７からは、操出動作モードに設定された時点において内部に集積されていた紙幣ＢＬの順序を崩すこと無く、最も上側の紙幣ＢＬから順次繰り出されていくことになる。
【０１１７】
このように紙幣カセット１７は、逐次動作モード、取込動作モード又は操出動作モード
のいずれかの動作モードに設定された上で動作するようになっている。また紙幣制御部１１は、このようにして設定された動作モードを表す情報を、紙幣カセット管理テーブルＴＢＬ１（図３）の「動作モード」に格納し、必要に応じて参照するようになっている。
【０１１８】
例えば紙幣入出金機１０では、図３に示したように、動作モードについて、第１紙幣カセット１７Ａ及び第３紙幣カセット１７Ｃが操出動作モードに設定されており、第２紙幣カセット１７Ｂ、第４紙幣カセット１７Ｄ及び第５紙幣カセット１７Ｅが取込動作モードに設定されている（図３）。
【０１１９】
また紙幣入出金機１０では、金種について、第１紙幣カセット１７Ａ及び第２紙幣カセット１７Ｂが金種「１００元」に設定されており、第３紙幣カセット１７Ｃ及び第４紙幣カセット１７Ｄが金種「５０元」に設定されており、第５紙幣カセット１７Ｅ金種「１０元／２０元」に設定されている。
【０１２０】
すなわち紙幣入出金機１０では、例えば金種「１００元」の紙幣ＢＬについて、入金取引において入金された紙幣ＢＬが取込動作モードの第２紙幣カセット１７Ｂに取り込まれ、出金取引において操出動作モードの第１紙幣カセット１７Ａから紙幣ＢＬが繰り出されて出金される。
【０１２１】
また紙幣入出金機１０では、金種「５０元」の紙幣ＢＬについて、入金取引において入金された紙幣ＢＬが取込動作モードの第４紙幣カセット１７Ｄに取り込まれ、また出金取引において操出動作モードの第３紙幣カセット１７Ｃから紙幣ＢＬが繰り出されて出金される。
【０１２２】
因みに紙幣入出金機１０では、金種「１０元」及び「２０元」の紙幣ＢＬについては、取引処理において入金を受け付けるものの出金をしないようになされており、入金取引において入金された紙幣ＢＬが取込動作モードの第５紙幣カセット１７Ｅに取り込まれる。
【０１２３】
［１−３−３．紙幣カセット準備処理］
ところで紙幣カセット１７は、操出動作モードに設定されている場合、紙幣ＢＬを繰り出すのみで取り込まないため、紙幣ＢＬを繰り出すに連れて収納枚数が減少していき、やがて収納枚数が０枚になると紙幣ＢＬを繰り出すことができなくなる。
【０１２４】
このため紙幣入出金機１０は、所定の「準備条件」が満たされると、操出紙幣カセットから再び紙幣ＢＬを繰り出すと共に、取込紙幣カセットに紙幣ＢＬを再び取り込むことができるように準備する「紙幣カセット準備処理」を行うようになされている。
【０１２５】
具体的に紙幣入出金機１０では、操出紙幣カセット内に収納されている紙幣ＢＬの枚数が０枚になることを準備条件としており、また紙幣カセット準備処理として、各紙幣カセット１７に設定されている操出動作モード及び取込動作モードを入れ替える入替処理を行うようになされている。
【０１２６】
以下では、この紙幣カセット準備処理について、同一の金種「１００元」に設定された第１紙幣カセット１７Ａ及び第２紙幣カセット１７Ｂに着目して、図５のフローチャートを用いて説明する。
【０１２７】
紙幣入出金機１０の紙幣制御部１１は、電源が投入されると、紙幣カセット準備処理手順ＲＴ１を開始してステップＳＰ１へ移る。ステップＳＰ１において紙幣制御部１１は、紙幣カセット管理テーブルＴＢＬ１（図３）を参照して各紙幣カセット１７の金種、動作モード及び収納枚数を認識し、次のステップＳＰ２へ移る。
【０１２８】
ステップＳＰ２において紙幣制御部１１は、操作表示部６（図１）に対する顧客の操作に基づいて入金取引や出金取引等の各種取引処理を実行する。このとき紙幣制御部１１は、いずれかの紙幣カセット１７について１枚の紙幣ＢＬの操出動作又は取込動作が行われる度に、紙幣カセット管理テーブルＴＢＬ１の収納枚数を更新して、次のステップＳＰ３へ移る。
【０１２９】
具体的に紙幣制御部１１は、例えば顧客により「１００元」の紙幣が入金される入金取引を行う場合、図６（Ａ）に模式的に示すように、入金された紙幣ＢＬを取込紙幣カセットである第２紙幣カセット１７Ｂに取り込んで収納させる。また紙幣制御部１１は、例えば顧客へ「１００元」の紙幣を出金する出金取引を行う場合、紙幣ＢＬを操出紙幣カセットである第１紙幣カセット１７Ａから繰り出す。
【０１３０】
ステップＳＰ３において紙幣制御部１１は、操出紙幣カセットである第１紙幣カセット１７Ａの残留検知部３２から残留検知信号を取得し、次のステップＳＰ４へ移る。
【０１３１】
ステップＳＰ４において紙幣制御部１１は、残留検知信号を基に、操出紙幣カセットである第１紙幣カセット１７Ａにおける紙幣ＢＬの残量が「０」であるか否か、すなわち準備条件が満たされたか否かを判定する。ここで否定結果が得られると、このことは操出紙幣カセットに紙幣ＢＬが残留しており、出金取引において操出紙幣カセットから紙幣ＢＬを繰り出し得ることを表しており、このとき紙幣制御部１１は再びステップＳＰ２に戻る。
【０１３２】
一方、ステップＳＰ４において肯定結果が得られると、このことは図６（Ｂ）に示すように、出金取引において操出紙幣カセットから紙幣ＢＬを繰り出すことができないことを表しており、このとき紙幣制御部１１は次のステップＳＰ５へ移る。
【０１３３】
ステップＳＰ５において紙幣制御部１１は、紙幣カセット準備処理として、第１紙幣カセット１７Ａ及び第２紙幣カセット１７Ｂの動作モードを入れ替える入替処理を行い、その情報を紙幣カセット管理テーブルＴＢＬ１（図３）に格納する。
【０１３４】
具体的に紙幣制御部１１は、図６（Ｃ）に示すように、第１紙幣カセット１７Ａを取込動作モードに設定すると共に第２紙幣カセット１７Ｂを操出動作モードに設定し、紙幣カセット管理テーブルＴＢＬ１における該当箇所の情報を更新して、再度ステップＳＰ２へ戻る。
【０１３５】
これにより紙幣入出金機１０は、出金取引において、それまでの入金取引によって十分な枚数の紙幣ＢＬを収納している第２紙幣カセット１７Ｂから紙幣ＢＬを順次繰り出すことができる。これと共に紙幣入出金機１０は、図６（Ｄ）に示すように、入金取引において、「空」の状態になった第１紙幣カセット１７Ａに紙幣ＢＬを収納していくことができる。
【０１３６】
このように紙幣入出金機１０は、操出紙幣カセットの残量が「０」になることを準備条件として、この準備条件が満たされると、紙幣カセット準備処理として、第１紙幣カセット１７Ａ及び第２紙幣カセット１７Ｂの動作モードを互いに入れ替える入替処理を行う。
【０１３７】
因みに紙幣入出金機１０は、同一の金種「５０元」に設定された第３紙幣カセット１７Ｃ及び第４紙幣カセット１７Ｄについても、紙幣カセット準備処理手順ＲＴ１に従い、準備条件が満たされると紙幣カセット準備処理を行うようになっている。
【０１３８】
［１−４．動作及び効果］
以上の構成において、第１の実施の形態による紙幣入出金機１０は、各紙幣カセット１７の動作モードとして、従来と同様の逐次動作モードに加えて、取込動作モード又は操出動作モードに設定し得るようにした。
【０１３９】
紙幣入出金機１０は、第１紙幣カセット１７Ａ及び第２紙幣カセット１７Ｂについて、金種を同一の「１００元」に設定すると共に、それぞれを取込動作モード及び操出動作モードに設定した状態で（図３）、各種取引処理を実行する。
【０１４０】
これにより取込紙幣カセットである第２紙幣カセット１７Ｂには、入金処理により入金された「１００元」の紙幣ＢＬが、途中で繰り出されること無く順次取り込まれ、内部に集積されていく。
【０１４１】
また操出紙幣カセットである第１紙幣カセット１７Ａからは、操出動作モードでの動作を開始した時点において内部に集積されていた順序で、出金取引により出金すべき「１００元」の紙幣ＢＬが、順次繰り出されていく。
【０１４２】
すなわち紙幣入出金機１０は、出金取引において顧客に出金する際に、操出紙幣カセット（第１紙幣カセット１７Ａ）に収納されている紙幣ＢＬのみを出金する。このため紙幣入出金機１０は、直近の入金取引において顧客から入金された紙幣ＢＬを、取込紙幣カセット（第２紙幣カセット１７Ｂ）内に収納して、しばらく出金せずに保持することができる。
【０１４３】
その後紙幣入出金機１０は、操出紙幣カセットである第２紙幣カセット１７Ｂの残量が「０」になり準備条件が満たされると、紙幣カセット準備処理として、第１紙幣カセット１７Ａ及び第２紙幣カセット１７Ｂの動作モードを入れ替える入替処理を行い、それぞれ操出動作モード及び取込動作モードとする。
【０１４４】
これにより紙幣入出金機１０は、入金取引において顧客から入金された紙幣ＢＬを、しばらく取込紙幣カセット（第１紙幣カセット１７Ａ）内に止めておくことができる。
【０１４５】
例えば紙幣入出金機１０は、新たに作成された偽造紙幣が入金取引において入金され、鑑別部１４において正常紙幣と鑑別してしまった場合、この偽造紙幣をしばらく取込紙幣カセット（第２紙幣カセット１７Ｂ）内に止めておくことができる。
【０１４６】
紙幣入出金機１０は、リサイクル方式である以上、他の正常な紙幣ＢＬと同様、この偽造紙幣についてもいずれは出金取引において繰り出されることになるが、入金された直後に出金される可能性があった従来の方式と比較して、繰り出されるまでの期間を確実に延長することができる。
【０１４７】
一方、鑑別部１４は、精巧な偽造紙幣が新たに作成された場合、流通し始めた直後には偽造紙幣であることを鑑別できなかったとしても、例えば専門機関等で解析作業等が行われて新たな鑑別情報に更新されると、偽造紙幣であることを正しく鑑別できるようになる。
【０１４８】
このため紙幣入出金機１０は、新たに作成された偽造紙幣が入金されてから出金されるまでの間に、鑑別情報が更新された場合、出金時に鑑別部１４において偽造紙幣であることを正しく鑑別することができる。
【０１４９】
このとき紙幣入出金機１０は、鑑別された偽造紙幣をリジェクトカセット１６へ搬送し、その代わりに他の紙幣ＢＬを操出紙幣カセット（この時点では第２紙幣カセット１７Ｂ）から繰り出す等の処理を行うことにより、偽造紙幣が顧客に出金されることを未然に防止できる。
【０１５０】
このように紙幣入出金機１０は、リサイクル方式でありながら、操出紙幣カセット及び取込紙幣カセットを別個に設けたことにより、入金された紙幣ＢＬが出金されるまでの期間を延長することができる。
【０１５１】
これにより紙幣入出金機１０は、取り込んだ紙幣ＢＬを紙幣カセット１７内に収納している間に鑑別部１４の鑑別情報が更新されることを期待できるので、入金取引において入金された偽造紙幣が出金取引において出金されてしまう可能性を格段に低減することができる。
【０１５２】
以上の構成によれば、第１の実施の形態による紙幣入出金機１０は、２個の紙幣カセット１７に同一の金種を割り当て、入金取引において顧客から入金された紙幣を取込紙幣カセット内に取り込んで収納し、出金取引の際には、操出紙幣カセット内の紙幣ＢＬを繰り出して顧客に出金する。このため紙幣入出金機１０は、入金取引において顧客から入金された紙幣ＢＬをしばらく出金せずに保持することができる。これにより紙幣入出金機１０は、仮に入金取引において偽造紙幣を鑑別できずに取り込んだとしても、繰り出されるまでの間に鑑別情報が更新されることにより、この偽造紙幣を出金取引の際に鑑別して排除できるので、他の顧客への出金を未然に防ぐことができる。
【０１５３】
［２．第２の実施の形態］
第２の実施の形態における現金自動預払機１０１（図１）は、第１の実施の形態による現金自動預払機１と比較して、紙幣入出金機１０に代わる紙幣入出金機１１０を有する点が相違するものの、他の部分については同様に構成されている。
【０１５４】
紙幣入出金機１１０（図２）は、紙幣入出金機１０と比較して、紙幣制御部１１に代わる紙幣制御部１１１を有する点が相違するものの、紙幣カセット１７等の他の部分については同様に構成されている。
【０１５５】
紙幣制御部１１１は、紙幣制御部１１と同様、図示しないＣＰＵを中心に構成されており、図示しないＲＯＭやフラッシュメモリ等から所定のプログラムを読み出して実行することにより、紙幣の搬送先を決定する処理等、種々の処理を行う。
【０１５６】
また紙幣制御部１１１は、やはり紙幣制御部１１と同様に、内部にＲＡＭ及びフラッシュメモリ等でなる記憶部１１１Ａを有しており、この記憶部に種々の情報を記憶させている。
【０１５７】
紙幣カセット１７は、第１の実施の形態と同様に構成され、取込動作及び操出動作をそれぞれ行い得ると共に、逐次動作モード、取込動作モード及び操出動作モードといった３通りの動作モードを切り替えて動作するようになされている。
【０１５８】
［２−１．紙幣カセット準備処理］
ところで紙幣制御部１１１は、第１の実施の形態と同様、所定の準備条件が満たされると、紙幣カセット準備処理として各紙幣カセットの動作モードを切り替えるものの、第１の実施の形態とは切替条件及び紙幣カセット準備処理において動作モードを切り替える手順が相違している。
【０１５９】
具体的に紙幣制御部１１１は、操出紙幣カセット内に収納されている紙幣ＢＬの収納枚数が、紙幣カセット管理テーブルＴＢＬ１（図３）に格納されている下限検知枚数未満になることを準備条件としている。
【０１６０】
また紙幣制御部１１１は、紙幣カセット準備処理として、各紙幣カセット１７に設定されている操出動作モード及び取込動作モードを入れ替える入替処理を行うと共に、新たな操出紙幣カセットに収納されている紙幣ＢＬの一部を新たな取込紙幣カセットへ移動させる一部移動処理も実行するようになされている。
【０１６１】
以下では、第２の実施の形態における紙幣カセット準備処理について、同一の金種「１００元」に設定された第１紙幣カセット１７Ａ及び第２紙幣カセット１７Ｂに着目して、図５と対応する図７のフローチャートを用いて説明する。
【０１６２】
紙幣入出金機１１０の紙幣制御部１１１は、電源が投入されると、紙幣カセット準備処理手順ＲＴ２を開始してステップＳＰ１１へ移る。
【０１６３】
紙幣制御部１１１は、ステップＳＰ１１及びＳＰ１２において、ステップＳＰ１及びＳＰ２（図５）と同様に紙幣カセット管理テーブルＴＢＬ１（図３）を参照して各紙幣カセット１７の金種、動作モード及び収納枚数を認識した上で取引処理を行い、１回の取引動作が終了するとステップＳＰ１３へ移る。
【０１６４】
ステップＳＰ１３において紙幣制御部１１１は、再び紙幣カセット管理テーブルＴＢＬ１を参照することにより、操出紙幣カセットである第２紙幣カセット１７Ｂの現時点における収納枚数及び下限枚数を確認し、次のステップＳＰ１４へ移る。
【０１６５】
ステップＳＰ１４において紙幣制御部１１１は、操出紙幣カセット（第１紙幣カセット１７Ａ）において収納枚数が下限検知枚数未満であるか否か、すなわち準備条件を満たすか否かを判定する。
【０１６６】
ここで否定結果が得られると、このことは図８（Ａ）に模式的に示すように、操出紙幣カセット（第１紙幣カセット１７Ａ）内に十分な枚数の紙幣ＢＬが収納されており、次の出金処理において要求される枚数の紙幣ＢＬを繰り出し得ることを表している。このとき紙幣制御部１１１は、次の取引動作を行うべく、再度ステップＳＰ１２へ戻る。
【０１６７】
一方、ステップＳＰ１４において肯定結果が得られると、このことは図８（Ｂ）に示すように、操出紙幣カセット（第１紙幣カセット１７Ａ）内に収納されている紙幣ＢＬの枚数が比較的少なく、次の出金処理において要求される枚数の紙幣ＢＬを繰り出し得ない恐れがあることを表している。このとき紙幣制御部１１１は、次のステップＳＰ１５へ移る。
【０１６８】
ステップＳＰ１５において紙幣制御部１１１は、紙幣入出金機１１０の動作状態を変化させて顧客から新たな取引処理を受け付けない休止状態とし、次のステップＳＰ１６へ移る。
【０１６９】
ステップＳＰ１６において紙幣制御部１１１は、紙幣カセット準備処理の前段として、図８（Ｃ）に示すように、第１紙幣カセット１７Ａ及び第２紙幣カセット１７Ｂの動作モードを入れ替える入替処理を行い、次のステップＳＰ１７へ移る。
【０１７０】
具体的に紙幣制御部１１１は、この入替処理として、第１紙幣カセット１７Ａを操出紙幣カセットから取込紙幣カセットに切り替えると共に、第２紙幣カセット１７Ｂを取込紙幣カセットから操出紙幣カセットに切り替える。
【０１７１】
ステップＳＰ１７において紙幣制御部１１１は、紙幣カセット準備処理の後段として、一部移動処理を行う。具体的に紙幣制御部１１１は、まず図８（Ｄ）に示すように、取込紙幣カセットであったときに入金取引によって顧客から入金されてきた紙幣を順次収納してきた第２紙幣カセット１７Ｂから、最も後に取り込んだ１枚の紙幣ＢＬを接客部１２へ搬送し、次のステップＳＰ１８へ移る。
【０１７２】
ステップＳＰ１８において紙幣制御部１１１は、接客部１２からの検知信号を取得し、次のステップＳＰ１９へ移る。
【０１７３】
ステップＳＰ１９において紙幣制御部１１１は、接客部１２からの検知信号を基に、当該接客部１２の収容空間１２Ａ内に収容可能な最大量の紙幣が収容されている否か、すなわち満杯か否かを判定する。ここで否定結果が得られると、このことは収容空間１２Ａ内にさらに紙幣ＢＬを収容し得ることを表しており、このとき紙幣制御部１１１は、ステップＳＰ１７へ戻って取込紙幣カセットから次の紙幣ＢＬを繰り出させる。
【０１７４】
一方、ステップＳＰ１９において肯定結果が得られると、このことは収容空間１２Ａ内にこれ以上紙幣ＢＬを収容し得ないことを表しており、このとき紙幣制御部１１１は、次のステップＳＰ２０へ移る。
【０１７５】
ステップＳＰ２０において紙幣制御部１１１は、図８（Ｅ）に示すように、該接客部１２の収容空間１２Ａ内に収容されている全ての紙幣ＢＬを取込紙幣カセット（第１紙幣カセット１７Ａ）へ順次搬送することにより一部移動処理を終了し、次のステップＳＰ２１へ移る。
【０１７６】
このように紙幣制御部１１１は、紙幣カセット準備処理として、休止状態に移行する直近に入金された紙幣ＢＬを予め取込紙幣カセット（第１紙幣カセット１７Ａ）へ移動させる一部移動処理を完了する。
【０１７７】
ステップＳＰ２１において紙幣制御部１１１は、紙幣入出金機１１０を通常の動作状態に、すなわち顧客から新たな取引処理を受け付ける状態に戻し（図８（Ｆ））、再度ステップＳＰ１２へ戻って一連の処理を繰り返す。
【０１７８】
このように紙幣入出金機１１０は、操出紙幣カセットの収納枚数が下限検知枚数未満になり準備条件を満たすと、紙幣カセット準備処理として、両紙幣カセット１７の動作モードを入れ替える入替処理を行うと共に、最も後の方に取り込まれた紙幣ＢＬを操出紙幣カセットから取込紙幣カセットへ移動させる一部移動処理を行う。
【０１７９】
［２−２．動作例］
次に、紙幣入出金機１１０において紙幣カセット準備処理を行う様子を、具体的な数値等を提示しながら説明する。
【０１８０】
図９は、順次行われる取引に伴う各紙幣カセット１７の状態が変化する様子を表形式で表したものであり、「行」を上から下へ辿るに連れて時間が経過していることを表す。またこの例では、図３にも示したように、下限検知枚数が１０００枚に設定されている。
【０１８１】
図９において、行番号１は初期値を表している。すなわち初期値としては、第１紙幣カセット１７Ａにおける動作モードが操出動作モードに設定され収納枚数が１１００枚であり、第２紙幣カセット１７Ｂにおける動作モードが取込動作モードに設定され収納枚数が１００００枚である。
【０１８２】
行番号２〜４は、いずれも入金取引を表しており、顧客により入金された紙幣ＢＬが
取込動作モードで動作する第２紙幣カセット１７Ｂに順次取り込まれて収納枚数が増加する一方、操出動作モードで動作する第１紙幣カセット１７Ａの収納枚数は変化しない。
【０１８３】
行番号５は、出金取引を表しており、操出動作モードで動作する第１紙幣カセット１７Ａから２００枚の紙幣が繰り出されることにより、この出金取引の完了後に収納枚数が９００枚となっている。
【０１８４】
この場合、操出紙幣カセットである第１紙幣カセット１７Ａの収納枚数が下限検知枚数である１０００枚未満となり準備条件が満たされるため、紙幣入出金機１１０は、紙幣カセット準備処理を行う。
【０１８５】
行番号６は、この紙幣カセット準備処理の前段として入替処理が行われたことを表しており、第１紙幣カセット１７Ａを取込動作モードに切り替えると共に第２紙幣カセット１７Ｂを操出動作モードに切り替えている。
【０１８６】
また行番号６は、紙幣カセット準備処理の後段として一部移動処理が行われたことも表しており、新たに操出紙幣カセットとなった第２紙幣カセット１７Ｂから新たに取込紙幣カセットとなった第１紙幣カセット１７Ａへ２００枚の紙幣ＢＬを移動させている。
【０１８７】
次の行番号７は、出金処理を表しており、操出動作モードに切り替えられた第２紙幣カセット１７Ｂから１００枚の紙幣が繰り出されて収納枚数が減少する一方、取込動作モードに切り替えられた第１紙幣カセット１７Ａの収納枚数が変化しない。
【０１８８】
因みに紙幣入出金機１１０は、これ以降も、第１紙幣カセット１７Ａを取込紙幣カセットとし、第２紙幣カセット１７Ｂを操出紙幣カセットとしたまま、順次取引処理を行っていく。
【０１８９】
［２−３．動作及び効果］
以上の構成において、第２の実施の形態による紙幣入出金機１１０は、第１の実施の形態と同様、第１紙幣カセット１７Ａ及び第２紙幣カセット１７Ｂについて、金種が同一の「１００元」に設定されると共に、それぞれを取込動作モード及び操出動作モードに設定した状態で各種取引処理を順次実行する。
【０１９０】
紙幣入出金機１１０は、入金取引において、顧客から入金された「１００元」の紙幣ＢＬを、取込紙幣カセットである第２紙幣カセット１７Ｂ内に順次取り込み、集積していく。また紙幣入出金機１１０は、出金取引において、操出紙幣カセットである第１紙幣カセット１７Ａに収納されている紙幣ＢＬを繰り出し、顧客に出金する。
【０１９１】
このため紙幣入出金機１１０は、第１の実施の形態と同様、直近の入金取引において顧客から入金された紙幣ＢＬを、取込紙幣カセット（第２紙幣カセット１７Ｂ）内に収納し、しばらく出金せずに保持することができる。
【０１９２】
その後紙幣入出金機１１０は、操出紙幣カセットである第１紙幣カセット１７Ａの収納枚数が下限検知枚数未満になり準備条件が満たされると、紙幣カセット準備処理として、第１紙幣カセット１７Ａ及び第２紙幣カセット１７Ｂの動作モードを入れ替えると共に、一部の紙幣ＢＬの移動処理を行う。
【０１９３】
このとき紙幣入出金機１１０は、一部移動処理として、切替前に取込紙幣カセットであった第２紙幣カセット１７Ｂに最も後の方に取り込まれた紙幣ＢＬを、接客部１２を介して、新たな取込紙幣カセットである第１紙幣カセット１７Ａへ移動させる。
【０１９４】
これにより紙幣入出金機１１０は、紙幣カセット準備処理の直近に入金取引によって入金された紙幣ＢＬを新たな取込紙幣カセットである第１紙幣カセット１７Ａ内へ予め取り込むことができるので、それ以前に入金された紙幣ＢＬを出金取引において出金することができる。
【０１９５】
これを換言すれば、紙幣入出金機１１０は、紙幣カセット準備処理において、入金されてから間もない紙幣ＢＬを取込紙幣カセットに予め退避させることにより、入金されてからしばらく経過した紙幣ＢＬを出金取引において出金することができる。
【０１９６】
ところで第１の実施の形態による紙幣入出金機１０では、紙幣カセット準備処理として動作モードの入替処理のみを行っていた。このため紙幣入出金機１０では、新たに操出紙幣カセットとなった第２紙幣カセット１７Ｂから、直前の入金取引において取り込まれた紙幣ＢＬを最初に繰り出すことになり、鑑別部１４における鑑別情報の更新が間に合わない可能性もあった。
【０１９７】
これに対し第２の実施の形態による紙幣入出金機１１０は、紙幣カセット準備処理の直近に入金取引により入金された紙幣ＢＬを取込紙幣カセットに予め退避させることで、それ以前に入金され十分に時間が経過した紙幣ＢＬから出金することができる。
【０１９８】
このため紙幣入出金機１１０は、紙幣カセット準備処理の直前に取り込まれた紙幣ＢＬについても、繰り出されるまでに十分な時間を確保して鑑別部１４における鑑別情報の更新を期待することができる。この結果紙幣入出金機１１０は、出金取引において偽造紙幣が出金されてしまう危険性を格段に低減することができる。
【０１９９】
その他の点においても、第２の実施の形態による紙幣入出金機１１０は、第１の実施の形態と同様の作用効果を奏し得る。
【０２００】
以上の構成によれば、第２の実施の形態による紙幣入出金機１１０は、入金取引において顧客から入金された紙幣を取込紙幣カセット内に取り込んで収納し、出金取引において操出紙幣カセット内の紙幣ＢＬを繰り出して顧客に出金する。また紙幣入出金機１１０は、操出紙幣カセットの収納枚数が下限検知枚数未満になると、紙幣カセット準備処理として、入替処理及び一部移動処理を行う。このため紙幣入出金機１１０は、紙幣カセット準備処理の直前を含む入金取引において顧客から入金された紙幣ＢＬを、しばらく出金せずに保持することができる。これにより紙幣入出金機１１０は、仮に入金取引において偽造紙幣を鑑別できずに取り込んだとしても、繰り出されるまでの間に鑑別情報が更新されることにより、この偽造紙幣を出金取引の際に鑑別して排除できるので、他の顧客に出金されることを未然に防ぐことができる。
【０２０１】
［３．第３の実施の形態］
第３の実施の形態における現金自動預払機２０１（図１）は、第１の実施の形態による現金自動預払機１と比較して、紙幣入出金機１０に代わる紙幣入出金機２１０を有する点が相違する物の、他の部分については同様に構成されている。
【０２０２】
紙幣入出金機２１０（図２）は、紙幣入出金機１０と比較して、紙幣制御部１１に代わる紙幣制御部２１１を有する点が相違するものの、紙幣カセット１７等の他の部分については同様に構成されている。
【０２０３】
紙幣制御部２１１は、紙幣制御部１１と同様、図示しないＣＰＵを中心に構成されており、図示しないＲＯＭやフラッシュメモリ等から所定のプログラムを読み出して実行することにより、紙幣の搬送先を決定する処理等、種々の処理を行う。
【０２０４】
また紙幣制御部２１１は、やはり紙幣制御部１１と同様に、内部にＲＡＭ及びフラッシュメモリ等でなる記憶部２１１Ａを有しており、この記憶部に種々の情報を記憶させるようになされている。
【０２０５】
紙幣カセット１７は、第１の実施の形態と同様に構成され、取込動作及び操出動作をそれぞれ行い得ると共に、逐次動作モード、取込動作モード及び操出動作モードといった３通りの動作モードを切り替えて動作するようになされている。
【０２０６】
［３−１．動作モードの切替処理］
ところで紙幣制御部２１１は、所定の準備条件が満たされると紙幣カセット準備処理を行うものの、その内容が第１及び第２の実施の形態とは相違している。
【０２０７】
具体的に紙幣制御部２１１は、第２の実施の形態と同様、操出動作モードに設定された紙幣カセット１７内に収納されている紙幣ＢＬの収納枚数が、紙幣カセット管理テーブルＴＢＬ１に格納されている下限検知枚数未満になることを準備条件としている。
【０２０８】
その一方で紙幣制御部２１１は、紙幣カセット準備処理として、各紙幣カセット１７に設定されている動作モードを変更すること無く、取込紙幣カセットに収納されている紙幣ＢＬの全部を操出紙幣カセットへ移動させる全部移動処理を実行するようになされている。
【０２０９】
以下では、第３の実施の形態における紙幣カセット準備処理について、同一の金種「１００元」に設定された第１紙幣カセット１７Ａ及び第２紙幣カセット１７Ｂに着目して、図５及び図７と対応する図１０のフローチャートを用いて説明する。
【０２１０】
紙幣入出金機２１０の紙幣制御部２１１は、電源が投入されると、紙幣カセット準備処理手順ＲＴ３を開始してステップＳＰ３１へ移る。
【０２１１】
紙幣制御部２１１は、ステップＳＰ３１〜ＳＰ３５においてステップＳＰ１１〜ＳＰ１５（図７）と同様の処理をそれぞれ実行することにより、各種の取引処理を行い（図１１（Ａ））、準備条件が満たされると（図１１（Ｂ））、紙幣入出金機１１０を休止させて次のステップＳＰ３６へ移る。
【０２１２】
ステップＳＰ３６において紙幣制御部２１１は、紙幣カセット準備処理として、紙幣ＢＬの全部移動処理を開始する。具体的に紙幣制御部２１１は、取込紙幣カセットである第２紙幣カセット１７Ｂから、搬送部１３を介して１枚の紙幣ＢＬを操出紙幣カセットである第１紙幣カセット１７Ａへ移動させ、次のステップＳＰ３７へ移る。
【０２１３】
このとき移動される紙幣ＢＬは、紙幣カセット１７の構造上、入金取引によって顧客から入金され取込紙幣カセット（第２紙幣カセット１７Ｂ）に取り込まれた紙幣ＢＬのうち、最も後に取り込まれた１枚となる。
【０２１４】
ステップＳＰ３７において紙幣制御部２１１は、紙幣カセット管理テーブルＴＢＬ１（図３）を参照することにより、第１紙幣カセット１７Ａ及び第２紙幣カセット１７Ｂの収納枚数及び最大枚数を確認し、次のステップＳＰ３８へ移る。
【０２１５】
ステップＳＰ３８において紙幣制御部２１１は、取込紙幣カセットである第２紙幣カセット１７Ｂが「空」であるか否かを判定する。ここで否定結果が得られると、紙幣制御部２１１は次のステップＳＰ３９へ移る。
【０２１６】
ステップＳＰ３９において紙幣制御部２１１は、操出紙幣カセットである第１紙幣カセット１７Ａが「満杯」であるか否かを判定する。ここで否定結果が得られると、このことは取込紙幣カセットから操出紙幣カセットへ更に紙幣ＢＬを移動し得ることを表している。このとき紙幣制御部２１１は、再度ステップＳＰ３６へ戻って紙幣ＢＬを１枚ずつ移動させる処理を繰り返す。
【０２１７】
一方、ステップＳＰ３８において肯定結果が得られた場合、及びステップＳＰ３９において肯定結果が得られた場合、これらのことは図１１（Ｃ）に示すように、これ以上取込紙幣カセットから操出紙幣カセットへ紙幣ＢＬを移動し得ないことを表している。このとき紙幣制御部２１１は次のステップＳＰ４０へ移る。
【０２１８】
ステップＳＰ４０において紙幣制御部２１１は、紙幣入出金機２１０を通常の動作状態に、すなわち顧客から新たな取引処理を受け付ける状態に戻し（図１１（Ｄ））、再度ステップＳＰ３２へ戻って一連の処理を繰り返す。
【０２１９】
このように紙幣入出金機１１０は、操出紙幣カセットの収納枚数が下限検知枚数未満になり準備条件を満たすと、紙幣カセット準備処理として、取込紙幣カセットに収納されている紙幣ＢＬの全部を操出紙幣カセットへ移動させる全部移動処理を行う。
【０２２０】
［３−２．動作及び効果］
以上の構成において、第３の実施の形態による紙幣入出金機２１０は、第１の実施の形態と同様、第１紙幣カセット１７Ａ及び第２紙幣カセット１７Ｂについて、金種が同一の「１００元」に設定されると共に、それぞれが取込動作モード及び操出動作モードに設定された状態で各種取引処理を順次実行する。
【０２２１】
紙幣入出金機２１０は、入金取引において、顧客から入金された「１００元」の紙幣ＢＬを、取込紙幣カセットである第２紙幣カセット１７Ｂ内に順次取り込み、集積していく。また紙幣入出金機１１０は、出金取引において、操出紙幣カセットである第１紙幣カセット１７Ａに収納されている紙幣ＢＬを繰り出し、顧客に出金する。
【０２２２】
このため紙幣入出金機２１０は、第１及び第２の実施の形態と同様、直近の入金取引において顧客から入金された紙幣ＢＬを、取込紙幣カセット（第２紙幣カセット１７Ｂ）内に収納し、しばらく出金せずに保持することができる。
【０２２３】
その後紙幣入出金機２１０は、操出紙幣カセットである第１紙幣カセット１７Ａの収納枚数が下限検知枚数未満になり準備条件が満たされると、紙幣カセット準備処理として、紙幣ＢＬの全部移動処理を行う。
【０２２４】
具体的に紙幣入出金機２１０は、全部移動処理として、取込紙幣カセットである第２紙幣カセット１７Ｂに最も後の方に取り込まれた紙幣ＢＬを、接客部１２を介して、新たな取込紙幣カセットである第１紙幣カセット１７Ａへ順次移動させていく。
【０２２５】
これにより紙幣入出金機２１０は、入金取引によって取込紙幣カセットである第２紙幣カセット１７Ｂに順次取り込まれた紙幣ＢＬを、取り込んだ順序と反対の順序で取込紙幣カセットである第１紙幣カセット１７Ａ内へ移動させ、順次収納させていく。
【０２２６】
これを換言すれば、紙幣入出金機２１０は、全部移動処理により、取込紙幣カセットである第２紙幣カセット１７Ｂ内から移動可能な全ての紙幣ＢＬを操出紙幣カセットである第１紙幣カセット１７Ａ内に移動させると共に、各紙幣ＢＬの集積順序を反転させる。
【０２２７】
これにより紙幣入出金機２１０は、全部移動処理の終了後、出金取引において、収納している紙幣ＢＬのうち最も早く取り込まれたもの、すなわち最も長い間収納されている紙幣ＢＬから順に繰り出すことができる。
【０２２８】
すなわち紙幣入出金機２１０は、入金取引において取り込まれてから十分に時間が経過した紙幣ＢＬから順次繰り出すことができる。このため紙幣入出金機２１０は、仮に鑑別部１４において偽造紙幣を鑑別できずに取り込んでいたとしても、出金されるまでの間に鑑別情報が更新された場合、この偽造紙幣を適切に鑑別することができ、出金取引において偽造紙幣が出金されてしまう危険性を格段に低減することができる。
【０２２９】
その他の点においても、第３の実施の形態による紙幣入出金機２１０は、第１の実施の形態と同様の作用効果を奏し得る。
【０２３０】
以上の構成によれば、第３の実施の形態による紙幣入出金機２１０は、入金取引において顧客から入金された紙幣を取込紙幣カセット内に取り込んで収納し、出金取引において操出紙幣カセット内の紙幣ＢＬを繰り出して顧客に出金する。また紙幣入出金機２１０は、操出紙幣カセットの収納枚数が下限検知枚数未満になると、紙幣カセット準備処理として紙幣ＢＬの全部移動処理を行う。このため紙幣入出金機２１０は、入金取引において顧客から入金されたいずれの紙幣ＢＬについても、取り込んだ順に、すなわち十分に長い時間に渡って保持した後に繰り出すことができる。これにより紙幣入出金機２１０は、仮に入金取引において偽造紙幣を鑑別できずに取り込んだとしても、繰り出されるまでの間に鑑別情報が更新されることにより、この偽造紙幣を出金取引の際に鑑別して排除できるので、他の顧客に出金されることを未然に防ぐことができる。
【０２３１】
［４．他の実施の形態］
なお上述した第１の実施の形態においては、操出紙幣カセットである第１紙幣カセット１７Ａにおける紙幣ＢＬの残量が「０」であるか否かを準備条件とした場合について述べた。
【０２３２】
しかしながら本発明はこれに限らず、例えば第２及び第３の実施の形態と同様に操出紙幣カセットである第１紙幣カセット１７Ａにおいて収納枚数が下限検知枚数未満であるか否かを準備条件としても良く、或いは取込紙幣カセットである第２紙幣カセット１７Ｂにおいて収納枚数が上限検知枚数よりも多いか否かや、当該収納枚数が最大収納枚数であるか否かを準備条件としても良い。
【０２３３】
すなわち準備条件としては、操出紙幣カセットである第１紙幣カセット１７Ａから紙幣ＢＬを繰り出し得なくなったこと若しくは間もなく繰り出し得なくなること、又は取込紙幣カセットである第２紙幣カセット１７Ｂに紙幣ＢＬを取り込めなくなったこと若しくは間もなく取り込めなくなることを、何らかの手法により検知できれば良い。第２及び第３の実施の形態についても同様である。
【０２３４】
また上述した第１の実施の形態においては、紙幣カセット１７に設けた残留検知部３２等のセンサにより、紙幣ＢＬの有無や残量を光学的に検知し、その検知結果を表す検知信号を基に紙幣制御部１１がこれらを認識する場合について述べた。
【０２３５】
しかしながら本発明はこれに限らず、例えば第２及び第３の実施の形態と同様に、紙幣カセット管理テーブルＴＢＬ１に格納されている収納枚数の情報を基に紙幣ＢＬの有無や残量を紙幣制御部１１が認識するようにしても良く、或いは紙幣カセット管理テーブルＴＢＬ１に格納されている収納枚数の情報と各センサからの検知結果とを統合的に判断して、紙幣ＢＬの有無や残量を紙幣制御部１１が認識するようにしても良い。
【０２３６】
一方、第２及び第３の実施の形態については、これと反対に、紙幣カセット１７に設けた残留検知部３２等のセンサにより、紙幣ＢＬの有無や残量を光学的に検知し、その検知結果を表す検知信号を基に紙幣制御部１１がこれらを認識するようにしても良い。特に上限検知枚数や下限検知枚数については、紙幣カセット１７内におけるこれらの枚数と対応する位置に、紙幣ＢＬの有無を検知する各種センサを設ければ良い。
【０２３７】
さらに上述した実施の形態においては、紙幣カセット１７に設ける残留検知部３２等のセンサにおいて、検知光Ｌ２等が遮光されるか否かを用いて紙幣ＢＬ又はステージ２３の位置や有無等を検知するようにした場合について述べた。
【０２３８】
しかしながら本発明はこれに限らず、例えば超音波の反射や機械的なスイッチ等、種々の手法により紙幣ＢＬ又はステージ２３の位置や有無等を検知するようにしても良い。
【０２３９】
さらに上述した第２の実施の形態においては、一部移動処理において、操出カセットである第２紙幣カセット１７Ｂから紙幣ＢＬを一度接客部１２に移動させ、当該接客部１２から紙幣ＢＬを取込カセットである第１紙幣カセット１７Ａへ移動させるようにした場合について述べた。
【０２４０】
しかしながら本発明はこれに限らず、例えば一時保留部１５のような紙幣ＢＬを一時的に収納し得る種々の箇所に一時的に移動させるようにしても良く、或いは第３の実施の形態と同様に、操出カセットである第２紙幣カセット１７Ｂから紙幣ＢＬを取込紙幣カセットである第１紙幣カセット１７Ａへ直接移動させるようにしても良い。
【０２４１】
また一部移動処理における紙幣ＢＬの移動枚数については、接客部１２に収容可能な最大枚数とする以外にも、例えばこの最大枚数よりも少ない１５０枚やこの最大枚数よりも多い６００枚のような任意の枚数としても良い。或いは移動枚数を、直近の所定回数の入金取引において入金された紙幣ＢＬの枚数のように、実際の利用状況に応じた枚数としても良い。このときの移動枚数が接客部１２の収容可能枚数を上回る場合には、複数回に分けて移動させても良く、さらには一時保留部１５等を併用するようにしても良い。
【０２４２】
さらに上述した第２の実施の形態においては、各紙幣カセット１７における最大枚数が２１０００枚であるのに対し上限検知枚数をこれよりも１０００枚少ない２００００枚とし、また下限検知枚数を１０００枚とするようにした場合について述べた。
【０２４３】
しかしながら本発明はこれに限らず、上限検知枚数を最大枚数よりも６００枚少ない枚数や１２００枚少ない枚数のように種々の枚数としても良く、下限検知枚数を４００枚や１５００枚のように種々の枚数としても良い。要は、上限検知枚数としては、最大枚数よりも少なく、且つ収納枚数の増加により間もなく最大枚数に達するような枚数であれば良い。また下限検知枚数としては、０枚よりも多く、且つ収納枚数の減少により間もなく０枚となるような枚数であれば良い。これらの場合、１回の取引における最大の枚数である２００枚を考慮してそれぞれの値を設定することが望ましい。第３の実施の形態についても同様である。
【０２４４】
さらに上述した第１の実施の形態においては、金種毎に紙幣カセット準備処理手順ＲＴ１（図５）を実行することにより、金種毎に独自のタイミングで紙幣カセット準備処理を行うようにした場合について述べた。
【０２４５】
しかしながら本発明はこれに限らず、例えば複数の金種のうちいずれかが準備条件を満たした場合に、全ての金種について並行して紙幣カセット準備処理を行うようにしても良い。第３の実施の形態についても同様であり、特にこの第３の実施の形態では、紙幣カセット準備処理を行うために紙幣入出金機２１０を休止させる合計時間を短縮でき、またその頻度を削減することができる。
【０２４６】
さらに上述した実施の形態においては、２個の紙幣カセット１７に同一の金種を割り当てると共に、操出カセット及び取込カセットを１個ずつ設定するようにした場合について述べた。
【０２４７】
しかしながら本発明はこれに限らず、３個以上の紙幣カセット１７に同一の金種を割り当てると共に、操出カセット及び取込カセットを少なくとも１個ずつ設定するようにしても良い。
【０２４８】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０２４９】
さらに上述した第１の実施の形態においては、顧客との間で現金に関する取引処理を行う現金自動預払機１の紙幣入出金機１０において、媒体としての紙幣ＢＬを紙幣カセット１７に取り込み、また繰り出す場合に本発明を適用するようにした場合について述べた。
【０２５０】
しかしながらこれに限らず、例えば種々の金券や証券等のような種々の媒体を先入れ後出し方式の収納庫に収納する種々の装置において、所定の取引においてこれらの媒体を取り込んで収納し、後の他の取引においてこの媒体をリサイクルして繰り出す場合に、本発明を適用するようにしても良い。第２及び第３の実施の形態についても同様である。
【０２５１】
さらに上述した第１の実施の形態においては、受渡部としての接客部１２と、搬送部としての搬送部１３と、収納庫としての紙幣カセット１７と、制御部としての紙幣制御部１１とによって媒体収納装置としての紙幣入出金機１０を構成する場合について述べた。
【０２５２】
しかしながら本発明はこれに限らず、その他種々の構成でなる受渡部と、搬送部と、収納庫と、制御部とによって媒体収納装置を構成するようにしても良い。
【０２５３】
さらに上述した第１の実施の形態においては、受渡部としての顧客応対部３及び接客部１２と、搬送部としての搬送部１３と、鑑別部としての鑑別部１４と、収納庫としての紙幣カセット１７と、制御部としての紙幣制御部１１とによって媒体取引装置としての現金自動預払機１を構成する場合について述べた。
【０２５４】
しかしながら本発明はこれに限らず、その他種々の構成でなる受渡部と、搬送部と、鑑別部と、収納庫と、制御部とによって媒体取引装置を構成するようにしても良い。
【産業上の利用可能性】
【０２５５】
本発明は、媒体を取り込んで収納すると共に、これを再利用して繰り出す種々の装置でも利用できる。
【符号の説明】
【０２５６】
１、１０１、２０１……現金自動預払機、３……顧客応対部、６……操作表示部、９……主制御部、１０、１１０、２１０……紙幣入出金機、１１、１１１、２１１……紙幣制御部、１１Ａ、１１１Ａ、２１１Ａ……記憶部、１２……接客部、１２Ａ……収容空間、１３……搬送部、１４……鑑別部、１５……一時保留部、１７……紙幣カセット、２１……筐体、２１Ｓ……内部空間、２３……ステージ、２５……分離放出部、３１……最上面検知部、３２……残留検知部、３３……ステージ上限検知部、３４……ステージ下限検知部、ＢＬ……紙幣、ＴＢＬ１……紙幣カセット管理テーブル。
【図１】
2015022615.tif 000003
【図２】
2015022615.tif 000004
【図３】
2015022615.tif 000005
【図４】
2015022615.tif 000006
【図５】
2015022615.tif 000007
【図６】
2015022615.tif 000008
【図７】
2015022615.tif 000009
【図８】
2015022615.tif 000010
【図９】
2015022615.tif 000011
【図１０】
2015022615.tif 000012
【図１１】
2015022615.tif 000013
【手続補正書】
【提出日】平成26年1月29日(2014.1.29)
【手続補正１】
【補正対象書類名】特許請求の範囲
【補正対象項目名】全文
【補正方法】変更
【補正の内容】
【特許請求の範囲】
【請求項１】
利用者との間で媒体を受け渡す受渡部と、
前記媒体を搬送する搬送部と、
前記媒体を複数収納すると共に、前記受渡部から前記搬送部により搬送されてきた前記媒体を取り込んで収納する取込動作モード又は収納している前記媒体を先入れ後出し方式で繰り出して前記搬送部により前記受渡部へ搬送する繰出動作モードで動作する複数の収納庫と、
１以上の前記収納庫を前記繰出動作モードに設定すると共に他の１以上の前記収納庫を取込動作モードに設定してそれぞれ動作させ、前記繰出動作モードで動作する前記収納庫からの前記媒体の繰出及び前記取込動作モードで動作する前記収納庫への前記媒体の取込のうち少なくとも一方を行い得なくなることを表す準備条件が満たされた場合、準備処理を行う制御部と
を具えることを特徴とする媒体収納装置。
【請求項２】
前記制御部は、前記準備処理として、前記繰出動作モードで動作していた前記収納庫を前記取込動作モードに切り替えると共に前記取込動作モードで動作していた前記収納庫を前記繰出動作モードに切り替える入替処理を行う
ことを特徴とする請求項１に記載の媒体収納装置。
【請求項３】
前記制御部は、前記準備処理として、前記入替処理に加えて、前記繰出動作モードに切り替えられた前記収納庫から、収納されている一部の前記媒体を、前記取込動作モードに切り替えられた前記収納庫へ移動させる一部移動処理を行う
ことを特徴とする請求項２に記載の媒体収納装置。
【請求項４】
前記制御部は、前記一部移動処理において、前記繰出動作モードに切り替えられた前記収納庫に収納されている前記媒体の一部を前記受渡部へ移動させ、移動させた前記媒体を当該受渡部から前記取込動作モードに切り替えられた前記収納庫へ移動させる
ことを特徴とする請求項３に記載の媒体収納装置。
【請求項５】
前記制御部は、前記一部移動処理において移動させる前記媒体の数を、前記受渡部に収容可能な数以下とする
ことを特徴とする請求項４に記載の媒体収納装置。
【請求項６】
前記制御部は、前記準備処理として、前記取込動作モードの前記収納庫から、収納されている一部又は全部の前記媒体を、前記繰出動作モードの前記収納庫へ移動させる
ことを特徴とする請求項１に記載の媒体収納装置。
【請求項７】
前記制御部は、前記繰出動作モードの前記収納庫に収納された前記媒体の数が所定の閾値以下となること、当該閾値未満となること又は０となることを前記準備条件とする
ことを特徴とする請求項１に記載の媒体収納装置。
【請求項８】
前記制御部は、前記取込動作モードの前記収納庫に収納された前記媒体の数が所定の閾値以上となること、当該閾値を超えること又は当該収納庫に収納可能な最大数となることを前記準備条件とする
ことを特徴とする請求項１に記載の媒体収納装置。
【請求項９】
利用者との間で媒体を受け渡す受渡部と、
前記媒体を搬送する搬送部と、
最新の鑑別条件に基づき前記媒体の正当性を鑑別する鑑別部と、
前記媒体を複数収納すると共に、前記受渡部から前記搬送部により搬送された前記媒体を取り込んで収納する取込動作モード、又は収納している前記媒体を先入れ後出し方式で繰り出して前記搬送部により搬送し前記鑑別部において正当であると鑑別されたものを前記受渡部へ搬送する繰出動作モードで動作する複数の収納庫と、
１以上の前記収納庫を前記繰出動作モードに設定すると共に他の１以上の前記収納庫を前記取込動作モードに設定してそれぞれ動作させ、前記繰出動作モードで動作する前記収納庫からの前記媒体の繰出及び前記取込動作モードで動作する前記収納庫への前記媒体の取込のうち少なくとも一方を行い得なくなることを表す準備条件が満たされた場合、準備処理を行う制御部と
を具えることを特徴とする媒体取引装置。
【手続補正２】
【補正対象書類名】明細書
【補正対象項目名】０００９
【補正方法】変更
【補正の内容】
【０００９】
この紙幣カセットには、収納空間の上方に、取込時には搬送されてきた紙幣を収納空間内へ放出する一方、繰出時には収納空間内の集積されている紙幣を１枚ずつに分離する分離放出部が設けられている。
【手続補正３】
【補正対象書類名】明細書
【補正対象項目名】００１７
【補正方法】変更
【補正の内容】
【００１７】
かかる課題を解決するため本発明の媒体収納装置においては、利用者との間で媒体を受け渡す受渡部と、媒体を搬送する搬送部と、媒体を複数収納すると共に、受渡部から搬送部により搬送されてきた媒体を取り込んで収納する取込動作モード又は収納している媒体を先入れ後出し方式で繰り出して搬送部により受渡部へ搬送する繰出動作モードで動作する複数の収納庫と、１以上の収納庫を繰出動作モードに設定すると共に他の１以上の収納庫を取込動作モードに設定してそれぞれ動作させ、繰出動作モードで動作する収納庫からの媒体の繰出及び取込動作モードで動作する収納庫への媒体の取込のうち少なくとも一方を行い得なくなることを表す準備条件が満たされた場合、準備処理を行う制御部とを設けるようにした。
【手続補正４】
【補正対象書類名】明細書
【補正対象項目名】００１８
【補正方法】変更
【補正の内容】
【００１８】
また本発明の媒体取引装置においては、利用者との間で媒体を受け渡す受渡部と、媒体を搬送する搬送部と、最新の鑑別条件に基づき媒体の正当性を鑑別する鑑別部と、媒体を複数収納すると共に、受渡部から搬送部により搬送された媒体を取り込んで収納する取込動作モード、又は収納している媒体を先入れ後出し方式で繰り出して搬送部により搬送し鑑別部において正当であると鑑別されたものを受渡部へ搬送する繰出動作モードで動作する複数の収納庫と、１以上の収納庫を繰出動作モードに設定すると共に他の１以上の収納庫を取込動作モードに設定してそれぞれ動作させ、繰出動作モードで動作する収納庫からの媒体の繰出及び取込動作モードで動作する収納庫への媒体の取込のうち少なくとも一方を行い得なくなることを表す準備条件が満たされた場合、準備処理を行う制御部とを設けるようにした。
【手続補正５】
【補正対象書類名】明細書
【補正対象項目名】００１９
【補正方法】変更
【補正の内容】
【００１９】
本発明は、取り込んだ媒体を取込動作モードの収納庫に収納する一方、繰出動作モードの収納庫に収納されている媒体を繰り出すことにより、収納庫に取り込まれた媒体が直ちに繰り出されることを防止でき、さらに準備条件が満たされた場合に準備処理を行うことにより媒体を再利用して処理を継続することができる。
【手続補正６】
【補正対象書類名】明細書
【補正対象項目名】００２０
【補正方法】変更
【補正の内容】
【００２０】
本発明によれば、取り込んだ媒体を取込動作モードの収納庫に収納する一方、繰出動作モードの収納庫に収納されている媒体を繰り出すことにより、収納庫に取り込まれた媒体が直ちに繰り出されることを防止でき、さらに準備条件が満たされた場合に準備処理を行うことにより媒体を再利用して処理を継続することができる。かくして本発明は、先入れ後出し方式で媒体を収納庫に収納しながら十分な時間の経過後に当該媒体を再利用し得る媒体収納装置及び媒体取引装置を実現できる。
【手続補正７】
【補正対象書類名】明細書
【補正対象項目名】００５６
【補正方法】変更
【補正の内容】
【００５６】
また「動作モード」項目には、「逐次動作モード」、「取込動作モード」及び「繰出動作モード」といった動作モードを表す情報が格納される（詳しくは後述する）。
【手続補正８】
【補正対象書類名】明細書
【補正対象項目名】００９０
【補正方法】変更
【補正の内容】
【００９０】
［１−３．紙幣カセットの動作］
［１−３−１．基本的な動作］
ところで紙幣カセット１７は、基本的な動作として、紙幣制御部１１の制御に基づき、紙幣ＢＬの取込動作及び繰出動作という２通りの動作を行い得るようになっている。
【手続補正９】
【補正対象書類名】明細書
【補正対象項目名】００９１
【補正方法】変更
【補正の内容】
【００９１】
取込動作は、搬送部１３から搬送されてくる紙幣ＢＬを内部に取り込んで収納する動作である。また繰出動作は、内部に収納されている紙幣ＢＬを順次繰り出して搬送部１３に受け渡す動作である。
【手続補正１０】
【補正対象書類名】明細書
【補正対象項目名】０１０３
【補正方法】変更
【補正の内容】
【０１０３】
また紙幣制御部１１は、紙幣カセット１７に繰出動作をさせる場合、まず残留検知部３２からの残留検知信号を基に、ステージ２３上に紙幣ＢＬが１枚以上残留しているか否かを判断し、紙幣ＢＬが残留していない場合には、所定のエラー処理を実行する。
【手続補正１１】
【補正対象書類名】明細書
【補正対象項目名】０１０９
【補正方法】変更
【補正の内容】
【０１０９】
このように紙幣制御部１１は、ステージ２３の位置や紙幣ＢＬの残留の状態を監視しながら、当該ステージ２３及び分離放出部２５の動作を制御することにより、紙幣カセット１７に紙幣ＢＬの取込動作又は繰出動作を行わせる。
【手続補正１２】
【補正対象書類名】明細書
【補正対象項目名】０１１０
【補正方法】変更
【補正の内容】
【０１１０】
［１−３−２．動作モードの設定］
ところで紙幣制御部１１は、各紙幣カセット１７に対し、従来と同様に繰出動作及び取込動作を逐次切り替えて行う逐次動作モードに加えて、取込動作のみを行わせる取込動作モード及び繰出動作のみを行わせる繰出動作モードといった３通りの動作モードを設定し得るようになされている。
【手続補正１３】
【補正対象書類名】明細書
【補正対象項目名】０１１１
【補正方法】変更
【補正の内容】
【０１１１】
紙幣カセット１７は、逐次動作モードに設定された場合、入金取引においては入金された紙幣ＢＬの取込動作を行い、出金取引においては出金すべき紙幣ＢＬの繰出動作を行う。このとき紙幣カセット１７では、後の入金取引において取り込まれた紙幣ＢＬから先に、出金取引において繰り出されることになる。
【手続補正１４】
【補正対象書類名】明細書
【補正対象項目名】０１１４
【補正方法】変更
【補正の内容】
【０１１４】
紙幣カセット１７は、繰出動作モードに設定された場合、取込動作モードとは反対に、出金取引においては出金すべき紙幣ＢＬの繰出動作を行うものの、入金取引においては何ら動作しない。
【手続補正１５】
【補正対象書類名】明細書
【補正対象項目名】０１１５
【補正方法】変更
【補正の内容】
【０１１５】
このため繰出動作モードに設定された紙幣カセット１７（以下これを繰出紙幣カセットと呼ぶ）からは、次々に行われる取引処理のうち出金取引により出金すべき枚数の紙幣ＢＬが、集積されている紙幣ＢＬのうち上側から順に繰り出されていく。
【手続補正１６】
【補正対象書類名】明細書
【補正対象項目名】０１１６
【補正方法】変更
【補正の内容】
【０１１６】
これを換言すれば、繰出動作モードに設定された紙幣カセット１７からは、繰出動作モードに設定された時点において内部に集積されていた紙幣ＢＬの順序を崩すこと無く、最も上側の紙幣ＢＬから順次繰り出されていくことになる。
【手続補正１７】
【補正対象書類名】明細書
【補正対象項目名】０１１７
【補正方法】変更
【補正の内容】
【０１１７】
このように紙幣カセット１７は、逐次動作モード、取込動作モード又は繰出動作モード
のいずれかの動作モードに設定された上で動作するようになっている。また紙幣制御部１１は、このようにして設定された動作モードを表す情報を、紙幣カセット管理テーブルＴＢＬ１（図３）の「動作モード」に格納し、必要に応じて参照するようになっている。
【手続補正１８】
【補正対象書類名】明細書
【補正対象項目名】０１１８
【補正方法】変更
【補正の内容】
【０１１８】
例えば紙幣入出金機１０では、図３に示したように、動作モードについて、第１紙幣カセット１７Ａ及び第３紙幣カセット１７Ｃが繰出動作モードに設定されており、第２紙幣カセット１７Ｂ、第４紙幣カセット１７Ｄ及び第５紙幣カセット１７Ｅが取込動作モードに設定されている（図３）。
【手続補正１９】
【補正対象書類名】明細書
【補正対象項目名】０１２０
【補正方法】変更
【補正の内容】
【０１２０】
すなわち紙幣入出金機１０では、例えば金種「１００元」の紙幣ＢＬについて、入金取引において入金された紙幣ＢＬが取込動作モードの第２紙幣カセット１７Ｂに取り込まれ、出金取引において繰出動作モードの第１紙幣カセット１７Ａから紙幣ＢＬが繰り出されて出金される。
【手続補正２０】
【補正対象書類名】明細書
【補正対象項目名】０１２１
【補正方法】変更
【補正の内容】
【０１２１】
また紙幣入出金機１０では、金種「５０元」の紙幣ＢＬについて、入金取引において入金された紙幣ＢＬが取込動作モードの第４紙幣カセット１７Ｄに取り込まれ、また出金取引において繰出動作モードの第３紙幣カセット１７Ｃから紙幣ＢＬが繰り出されて出金される。
【手続補正２１】
【補正対象書類名】明細書
【補正対象項目名】０１２３
【補正方法】変更
【補正の内容】
【０１２３】
［１−３−３．紙幣カセット準備処理］
ところで紙幣カセット１７は、繰出動作モードに設定されている場合、紙幣ＢＬを繰り出すのみで取り込まないため、紙幣ＢＬを繰り出すに連れて収納枚数が減少していき、やがて収納枚数が０枚になると紙幣ＢＬを繰り出すことができなくなる。
【手続補正２２】
【補正対象書類名】明細書
【補正対象項目名】０１２４
【補正方法】変更
【補正の内容】
【０１２４】
このため紙幣入出金機１０は、所定の「準備条件」が満たされると、繰出紙幣カセットから再び紙幣ＢＬを繰り出すと共に、取込紙幣カセットに紙幣ＢＬを再び取り込むことができるように準備する「紙幣カセット準備処理」を行うようになされている。
【手続補正２３】
【補正対象書類名】明細書
【補正対象項目名】０１２５
【補正方法】変更
【補正の内容】
【０１２５】
具体的に紙幣入出金機１０では、繰出紙幣カセット内に収納されている紙幣ＢＬの枚数が０枚になることを準備条件としており、また紙幣カセット準備処理として、各紙幣カセット１７に設定されている繰出動作モード及び取込動作モードを入れ替える入替処理を行うようになされている。
【手続補正２４】
【補正対象書類名】明細書
【補正対象項目名】０１２８
【補正方法】変更
【補正の内容】
【０１２８】
ステップＳＰ２において紙幣制御部１１は、操作表示部６（図１）に対する顧客の操作に基づいて入金取引や出金取引等の各種取引処理を実行する。このとき紙幣制御部１１は、いずれかの紙幣カセット１７について１枚の紙幣ＢＬの繰出動作又は取込動作が行われる度に、紙幣カセット管理テーブルＴＢＬ１の収納枚数を更新して、次のステップＳＰ３へ移る。
【手続補正２５】
【補正対象書類名】明細書
【補正対象項目名】０１２９
【補正方法】変更
【補正の内容】
【０１２９】
具体的に紙幣制御部１１は、例えば顧客により「１００元」の紙幣が入金される入金取引を行う場合、図６（Ａ）に模式的に示すように、入金された紙幣ＢＬを取込紙幣カセットである第２紙幣カセット１７Ｂに取り込んで収納させる。また紙幣制御部１１は、例えば顧客へ「１００元」の紙幣を出金する出金取引を行う場合、紙幣ＢＬを繰出紙幣カセットである第１紙幣カセット１７Ａから繰り出す。
【手続補正２６】
【補正対象書類名】明細書
【補正対象項目名】０１３０
【補正方法】変更
【補正の内容】
【０１３０】
ステップＳＰ３において紙幣制御部１１は、繰出紙幣カセットである第１紙幣カセット１７Ａの残留検知部３２から残留検知信号を取得し、次のステップＳＰ４へ移る。
【手続補正２７】
【補正対象書類名】明細書
【補正対象項目名】０１３１
【補正方法】変更
【補正の内容】
【０１３１】
ステップＳＰ４において紙幣制御部１１は、残留検知信号を基に、繰出紙幣カセットである第１紙幣カセット１７Ａにおける紙幣ＢＬの残量が「０」であるか否か、すなわち準備条件が満たされたか否かを判定する。ここで否定結果が得られると、このことは繰出紙幣カセットに紙幣ＢＬが残留しており、出金取引において繰出紙幣カセットから紙幣ＢＬを繰り出し得ることを表しており、このとき紙幣制御部１１は再びステップＳＰ２に戻る。
【手続補正２８】
【補正対象書類名】明細書
【補正対象項目名】０１３２
【補正方法】変更
【補正の内容】
【０１３２】
一方、ステップＳＰ４において肯定結果が得られると、このことは図６（Ｂ）に示すように、出金取引において繰出紙幣カセットから紙幣ＢＬを繰り出すことができないことを表しており、このとき紙幣制御部１１は次のステップＳＰ５へ移る。
【手続補正２９】
【補正対象書類名】明細書
【補正対象項目名】０１３４
【補正方法】変更
【補正の内容】
【０１３４】
具体的に紙幣制御部１１は、図６（Ｃ）に示すように、第１紙幣カセット１７Ａを取込動作モードに設定すると共に第２紙幣カセット１７Ｂを繰出動作モードに設定し、紙幣カセット管理テーブルＴＢＬ１における該当箇所の情報を更新して、再度ステップＳＰ２へ戻る。
【手続補正３０】
【補正対象書類名】明細書
【補正対象項目名】０１３６
【補正方法】変更
【補正の内容】
【０１３６】
このように紙幣入出金機１０は、繰出紙幣カセットの残量が「０」になることを準備条件として、この準備条件が満たされると、紙幣カセット準備処理として、第１紙幣カセット１７Ａ及び第２紙幣カセット１７Ｂの動作モードを互いに入れ替える入替処理を行う。
【手続補正３１】
【補正対象書類名】明細書
【補正対象項目名】０１３８
【補正方法】変更
【補正の内容】
【０１３８】
［１−４．動作及び効果］
以上の構成において、第１の実施の形態による紙幣入出金機１０は、各紙幣カセット１７の動作モードとして、従来と同様の逐次動作モードに加えて、取込動作モード又は繰出動作モードに設定し得るようにした。
【手続補正３２】
【補正対象書類名】明細書
【補正対象項目名】０１３９
【補正方法】変更
【補正の内容】
【０１３９】
紙幣入出金機１０は、第１紙幣カセット１７Ａ及び第２紙幣カセット１７Ｂについて、金種を同一の「１００元」に設定すると共に、それぞれを取込動作モード及び繰出動作モードに設定した状態で（図３）、各種取引処理を実行する。
【手続補正３３】
【補正対象書類名】明細書
【補正対象項目名】０１４１
【補正方法】変更
【補正の内容】
【０１４１】
また繰出紙幣カセットである第１紙幣カセット１７Ａからは、繰出動作モードでの動作を開始した時点において内部に集積されていた順序で、出金取引により出金すべき「１００元」の紙幣ＢＬが、順次繰り出されていく。
【手続補正３４】
【補正対象書類名】明細書
【補正対象項目名】０１４２
【補正方法】変更
【補正の内容】
【０１４２】
すなわち紙幣入出金機１０は、出金取引において顧客に出金する際に、繰出紙幣カセット（第１紙幣カセット１７Ａ）に収納されている紙幣ＢＬのみを出金する。このため紙幣入出金機１０は、直近の入金取引において顧客から入金された紙幣ＢＬを、取込紙幣カセット（第２紙幣カセット１７Ｂ）内に収納して、しばらく出金せずに保持することができる。
【手続補正３５】
【補正対象書類名】明細書
【補正対象項目名】０１４３
【補正方法】変更
【補正の内容】
【０１４３】
その後紙幣入出金機１０は、繰出紙幣カセットである第２紙幣カセット１７Ｂの残量が「０」になり準備条件が満たされると、紙幣カセット準備処理として、第１紙幣カセット１７Ａ及び第２紙幣カセット１７Ｂの動作モードを入れ替える入替処理を行い、それぞれ繰出動作モード及び取込動作モードとする。
【手続補正３６】
【補正対象書類名】明細書
【補正対象項目名】０１４９
【補正方法】変更
【補正の内容】
【０１４９】
このとき紙幣入出金機１０は、鑑別された偽造紙幣をリジェクトカセット１６へ搬送し、その代わりに他の紙幣ＢＬを繰出紙幣カセット（この時点では第２紙幣カセット１７Ｂ）から繰り出す等の処理を行うことにより、偽造紙幣が顧客に出金されることを未然に防止できる。
【手続補正３７】
【補正対象書類名】明細書
【補正対象項目名】０１５０
【補正方法】変更
【補正の内容】
【０１５０】
このように紙幣入出金機１０は、リサイクル方式でありながら、繰出紙幣カセット及び取込紙幣カセットを別個に設けたことにより、入金された紙幣ＢＬが出金されるまでの期間を延長することができる。
【手続補正３８】
【補正対象書類名】明細書
【補正対象項目名】０１５２
【補正方法】変更
【補正の内容】
【０１５２】
以上の構成によれば、第１の実施の形態による紙幣入出金機１０は、２個の紙幣カセット１７に同一の金種を割り当て、入金取引において顧客から入金された紙幣を取込紙幣カセット内に取り込んで収納し、出金取引の際には、繰出紙幣カセット内の紙幣ＢＬを繰り出して顧客に出金する。このため紙幣入出金機１０は、入金取引において顧客から入金された紙幣ＢＬをしばらく出金せずに保持することができる。これにより紙幣入出金機１０は、仮に入金取引において偽造紙幣を鑑別できずに取り込んだとしても、繰り出されるまでの間に鑑別情報が更新されることにより、この偽造紙幣を出金取引の際に鑑別して排除できるので、他の顧客への出金を未然に防ぐことができる。
【手続補正３９】
【補正対象書類名】明細書
【補正対象項目名】０１５７
【補正方法】変更
【補正の内容】
【０１５７】
紙幣カセット１７は、第１の実施の形態と同様に構成され、取込動作及び繰出動作をそれぞれ行い得ると共に、逐次動作モード、取込動作モード及び繰出動作モードといった３通りの動作モードを切り替えて動作するようになされている。
【手続補正４０】
【補正対象書類名】明細書
【補正対象項目名】０１５９
【補正方法】変更
【補正の内容】
【０１５９】
具体的に紙幣制御部１１１は、繰出紙幣カセット内に収納されている紙幣ＢＬの収納枚数が、紙幣カセット管理テーブルＴＢＬ１（図３）に格納されている下限検知枚数未満になることを準備条件としている。
【手続補正４１】
【補正対象書類名】明細書
【補正対象項目名】０１６０
【補正方法】変更
【補正の内容】
【０１６０】
また紙幣制御部１１１は、紙幣カセット準備処理として、各紙幣カセット１７に設定されている繰出動作モード及び取込動作モードを入れ替える入替処理を行うと共に、新たな繰出紙幣カセットに収納されている紙幣ＢＬの一部を新たな取込紙幣カセットへ移動させる一部移動処理も実行するようになされている。
【手続補正４２】
【補正対象書類名】明細書
【補正対象項目名】０１６４
【補正方法】変更
【補正の内容】
【０１６４】
ステップＳＰ１３において紙幣制御部１１１は、再び紙幣カセット管理テーブルＴＢＬ１を参照することにより、繰出紙幣カセットである第２紙幣カセット１７Ｂの現時点における収納枚数及び下限枚数を確認し、次のステップＳＰ１４へ移る。
【手続補正４３】
【補正対象書類名】明細書
【補正対象項目名】０１６５
【補正方法】変更
【補正の内容】
【０１６５】
ステップＳＰ１４において紙幣制御部１１１は、繰出紙幣カセット（第１紙幣カセット１７Ａ）において収納枚数が下限検知枚数未満であるか否か、すなわち準備条件を満たすか否かを判定する。
【手続補正４４】
【補正対象書類名】明細書
【補正対象項目名】０１６６
【補正方法】変更
【補正の内容】
【０１６６】
ここで否定結果が得られると、このことは図８（Ａ）に模式的に示すように、繰出紙幣カセット（第１紙幣カセット１７Ａ）内に十分な枚数の紙幣ＢＬが収納されており、次の出金処理において要求される枚数の紙幣ＢＬを繰り出し得ることを表している。このとき紙幣制御部１１１は、次の取引動作を行うべく、再度ステップＳＰ１２へ戻る。
【手続補正４５】
【補正対象書類名】明細書
【補正対象項目名】０１６７
【補正方法】変更
【補正の内容】
【０１６７】
一方、ステップＳＰ１４において肯定結果が得られると、このことは図８（Ｂ）に示すように、繰出紙幣カセット（第１紙幣カセット１７Ａ）内に収納されている紙幣ＢＬの枚数が比較的少なく、次の出金処理において要求される枚数の紙幣ＢＬを繰り出し得ない恐れがあることを表している。このとき紙幣制御部１１１は、次のステップＳＰ１５へ移る。
【手続補正４６】
【補正対象書類名】明細書
【補正対象項目名】０１７０
【補正方法】変更
【補正の内容】
【０１７０】
具体的に紙幣制御部１１１は、この入替処理として、第１紙幣カセット１７Ａを繰出紙幣カセットから取込紙幣カセットに切り替えると共に、第２紙幣カセット１７Ｂを取込紙幣カセットから繰出紙幣カセットに切り替える。
【手続補正４７】
【補正対象書類名】明細書
【補正対象項目名】０１７８
【補正方法】変更
【補正の内容】
【０１７８】
このように紙幣入出金機１１０は、繰出紙幣カセットの収納枚数が下限検知枚数未満になり準備条件を満たすと、紙幣カセット準備処理として、両紙幣カセット１７の動作モードを入れ替える入替処理を行うと共に、最も後の方に取り込まれた紙幣ＢＬを繰出紙幣カセットから取込紙幣カセットへ移動させる一部移動処理を行う。
【手続補正４８】
【補正対象書類名】明細書
【補正対象項目名】０１８１
【補正方法】変更
【補正の内容】
【０１８１】
図９において、行番号１は初期値を表している。すなわち初期値としては、第１紙幣カセット１７Ａにおける動作モードが繰出動作モードに設定され収納枚数が１１００枚であり、第２紙幣カセット１７Ｂにおける動作モードが取込動作モードに設定され収納枚数が１００００枚である。
【手続補正４９】
【補正対象書類名】明細書
【補正対象項目名】０１８２
【補正方法】変更
【補正の内容】
【０１８２】
行番号２〜４は、いずれも入金取引を表しており、顧客により入金された紙幣ＢＬが
取込動作モードで動作する第２紙幣カセット１７Ｂに順次取り込まれて収納枚数が増加する一方、繰出動作モードで動作する第１紙幣カセット１７Ａの収納枚数は変化しない。
【手続補正５０】
【補正対象書類名】明細書
【補正対象項目名】０１８３
【補正方法】変更
【補正の内容】
【０１８３】
行番号５は、出金取引を表しており、繰出動作モードで動作する第１紙幣カセット１７Ａから２００枚の紙幣が繰り出されることにより、この出金取引の完了後に収納枚数が９００枚となっている。
【手続補正５１】
【補正対象書類名】明細書
【補正対象項目名】０１８４
【補正方法】変更
【補正の内容】
【０１８４】
この場合、繰出紙幣カセットである第１紙幣カセット１７Ａの収納枚数が下限検知枚数である１０００枚未満となり準備条件が満たされるため、紙幣入出金機１１０は、紙幣カセット準備処理を行う。
【手続補正５２】
【補正対象書類名】明細書
【補正対象項目名】０１８５
【補正方法】変更
【補正の内容】
【０１８５】
行番号６は、この紙幣カセット準備処理の前段として入替処理が行われたことを表しており、第１紙幣カセット１７Ａを取込動作モードに切り替えると共に第２紙幣カセット１７Ｂを繰出動作モードに切り替えている。
【手続補正５３】
【補正対象書類名】明細書
【補正対象項目名】０１８６
【補正方法】変更
【補正の内容】
【０１８６】
また行番号６は、紙幣カセット準備処理の後段として一部移動処理が行われたことも表しており、新たに繰出紙幣カセットとなった第２紙幣カセット１７Ｂから新たに取込紙幣カセットとなった第１紙幣カセット１７Ａへ２００枚の紙幣ＢＬを移動させている。
【手続補正５４】
【補正対象書類名】明細書
【補正対象項目名】０１８７
【補正方法】変更
【補正の内容】
【０１８７】
次の行番号７は、出金処理を表しており、繰出動作モードに切り替えられた第２紙幣カセット１７Ｂから１００枚の紙幣が繰り出されて収納枚数が減少する一方、取込動作モードに切り替えられた第１紙幣カセット１７Ａの収納枚数が変化しない。
【手続補正５５】
【補正対象書類名】明細書
【補正対象項目名】０１８８
【補正方法】変更
【補正の内容】
【０１８８】
因みに紙幣入出金機１１０は、これ以降も、第１紙幣カセット１７Ａを取込紙幣カセットとし、第２紙幣カセット１７Ｂを繰出紙幣カセットとしたまま、順次取引処理を行っていく。
【手続補正５６】
【補正対象書類名】明細書
【補正対象項目名】０１８９
【補正方法】変更
【補正の内容】
【０１８９】
［２−３．動作及び効果］
以上の構成において、第２の実施の形態による紙幣入出金機１１０は、第１の実施の形態と同様、第１紙幣カセット１７Ａ及び第２紙幣カセット１７Ｂについて、金種が同一の「１００元」に設定されると共に、それぞれを取込動作モード及び繰出動作モードに設定した状態で各種取引処理を順次実行する。
【手続補正５７】
【補正対象書類名】明細書
【補正対象項目名】０１９０
【補正方法】変更
【補正の内容】
【０１９０】
紙幣入出金機１１０は、入金取引において、顧客から入金された「１００元」の紙幣ＢＬを、取込紙幣カセットである第２紙幣カセット１７Ｂ内に順次取り込み、集積していく。また紙幣入出金機１１０は、出金取引において、繰出紙幣カセットである第１紙幣カセット１７Ａに収納されている紙幣ＢＬを繰り出し、顧客に出金する。
【手続補正５８】
【補正対象書類名】明細書
【補正対象項目名】０１９２
【補正方法】変更
【補正の内容】
【０１９２】
その後紙幣入出金機１１０は、繰出紙幣カセットである第１紙幣カセット１７Ａの収納枚数が下限検知枚数未満になり準備条件が満たされると、紙幣カセット準備処理として、第１紙幣カセット１７Ａ及び第２紙幣カセット１７Ｂの動作モードを入れ替えると共に、一部の紙幣ＢＬの移動処理を行う。
【手続補正５９】
【補正対象書類名】明細書
【補正対象項目名】０１９６
【補正方法】変更
【補正の内容】
【０１９６】
ところで第１の実施の形態による紙幣入出金機１０では、紙幣カセット準備処理として動作モードの入替処理のみを行っていた。このため紙幣入出金機１０では、新たに繰出紙幣カセットとなった第２紙幣カセット１７Ｂから、直前の入金取引において取り込まれた紙幣ＢＬを最初に繰り出すことになり、鑑別部１４における鑑別情報の更新が間に合わない可能性もあった。
【手続補正６０】
【補正対象書類名】明細書
【補正対象項目名】０２００
【補正方法】変更
【補正の内容】
【０２００】
以上の構成によれば、第２の実施の形態による紙幣入出金機１１０は、入金取引において顧客から入金された紙幣を取込紙幣カセット内に取り込んで収納し、出金取引において繰出紙幣カセット内の紙幣ＢＬを繰り出して顧客に出金する。また紙幣入出金機１１０は、繰出紙幣カセットの収納枚数が下限検知枚数未満になると、紙幣カセット準備処理として、入替処理及び一部移動処理を行う。このため紙幣入出金機１１０は、紙幣カセット準備処理の直前を含む入金取引において顧客から入金された紙幣ＢＬを、しばらく出金せずに保持することができる。これにより紙幣入出金機１１０は、仮に入金取引において偽造紙幣を鑑別できずに取り込んだとしても、繰り出されるまでの間に鑑別情報が更新されることにより、この偽造紙幣を出金取引の際に鑑別して排除できるので、他の顧客に出金されることを未然に防ぐことができる。
【手続補正６１】
【補正対象書類名】明細書
【補正対象項目名】０２０５
【補正方法】変更
【補正の内容】
【０２０５】
紙幣カセット１７は、第１の実施の形態と同様に構成され、取込動作及び繰出動作をそれぞれ行い得ると共に、逐次動作モード、取込動作モード及び繰出動作モードといった３通りの動作モードを切り替えて動作するようになされている。
【手続補正６２】
【補正対象書類名】明細書
【補正対象項目名】０２０７
【補正方法】変更
【補正の内容】
【０２０７】
具体的に紙幣制御部２１１は、第２の実施の形態と同様、繰出動作モードに設定された紙幣カセット１７内に収納されている紙幣ＢＬの収納枚数が、紙幣カセット管理テーブルＴＢＬ１に格納されている下限検知枚数未満になることを準備条件としている。
【手続補正６３】
【補正対象書類名】明細書
【補正対象項目名】０２０８
【補正方法】変更
【補正の内容】
【０２０８】
その一方で紙幣制御部２１１は、紙幣カセット準備処理として、各紙幣カセット１７に設定されている動作モードを変更すること無く、取込紙幣カセットに収納されている紙幣ＢＬの全部を繰出紙幣カセットへ移動させる全部移動処理を実行するようになされている。
【手続補正６４】
【補正対象書類名】明細書
【補正対象項目名】０２１２
【補正方法】変更
【補正の内容】
【０２１２】
ステップＳＰ３６において紙幣制御部２１１は、紙幣カセット準備処理として、紙幣ＢＬの全部移動処理を開始する。具体的に紙幣制御部２１１は、取込紙幣カセットである第２紙幣カセット１７Ｂから、搬送部１３を介して１枚の紙幣ＢＬを繰出紙幣カセットである第１紙幣カセット１７Ａへ移動させ、次のステップＳＰ３７へ移る。
【手続補正６５】
【補正対象書類名】明細書
【補正対象項目名】０２１６
【補正方法】変更
【補正の内容】
【０２１６】
ステップＳＰ３９において紙幣制御部２１１は、繰出紙幣カセットである第１紙幣カセット１７Ａが「満杯」であるか否かを判定する。ここで否定結果が得られると、このことは取込紙幣カセットから繰出紙幣カセットへ更に紙幣ＢＬを移動し得ることを表している。このとき紙幣制御部２１１は、再度ステップＳＰ３６へ戻って紙幣ＢＬを１枚ずつ移動させる処理を繰り返す。
【手続補正６６】
【補正対象書類名】明細書
【補正対象項目名】０２１７
【補正方法】変更
【補正の内容】
【０２１７】
一方、ステップＳＰ３８において肯定結果が得られた場合、及びステップＳＰ３９において肯定結果が得られた場合、これらのことは図１１（Ｃ）に示すように、これ以上取込紙幣カセットから繰出紙幣カセットへ紙幣ＢＬを移動し得ないことを表している。このとき紙幣制御部２１１は次のステップＳＰ４０へ移る。
【手続補正６７】
【補正対象書類名】明細書
【補正対象項目名】０２１９
【補正方法】変更
【補正の内容】
【０２１９】
このように紙幣入出金機１１０は、繰出紙幣カセットの収納枚数が下限検知枚数未満になり準備条件を満たすと、紙幣カセット準備処理として、取込紙幣カセットに収納されている紙幣ＢＬの全部を繰出紙幣カセットへ移動させる全部移動処理を行う。
【手続補正６８】
【補正対象書類名】明細書
【補正対象項目名】０２２０
【補正方法】変更
【補正の内容】
【０２２０】
［３−２．動作及び効果］
以上の構成において、第３の実施の形態による紙幣入出金機２１０は、第１の実施の形態と同様、第１紙幣カセット１７Ａ及び第２紙幣カセット１７Ｂについて、金種が同一の「１００元」に設定されると共に、それぞれが取込動作モード及び繰出動作モードに設定された状態で各種取引処理を順次実行する。
【手続補正６９】
【補正対象書類名】明細書
【補正対象項目名】０２２１
【補正方法】変更
【補正の内容】
【０２２１】
紙幣入出金機２１０は、入金取引において、顧客から入金された「１００元」の紙幣ＢＬを、取込紙幣カセットである第２紙幣カセット１７Ｂ内に順次取り込み、集積していく。また紙幣入出金機１１０は、出金取引において、繰出紙幣カセットである第１紙幣カセット１７Ａに収納されている紙幣ＢＬを繰り出し、顧客に出金する。
【手続補正７０】
【補正対象書類名】明細書
【補正対象項目名】０２２３
【補正方法】変更
【補正の内容】
【０２２３】
その後紙幣入出金機２１０は、繰出紙幣カセットである第１紙幣カセット１７Ａの収納枚数が下限検知枚数未満になり準備条件が満たされると、紙幣カセット準備処理として、紙幣ＢＬの全部移動処理を行う。
【手続補正７１】
【補正対象書類名】明細書
【補正対象項目名】０２２６
【補正方法】変更
【補正の内容】
【０２２６】
これを換言すれば、紙幣入出金機２１０は、全部移動処理により、取込紙幣カセットである第２紙幣カセット１７Ｂ内から移動可能な全ての紙幣ＢＬを繰出紙幣カセットである第１紙幣カセット１７Ａ内に移動させると共に、各紙幣ＢＬの集積順序を反転させる。
【手続補正７２】
【補正対象書類名】明細書
【補正対象項目名】０２３０
【補正方法】変更
【補正の内容】
【０２３０】
以上の構成によれば、第３の実施の形態による紙幣入出金機２１０は、入金取引において顧客から入金された紙幣を取込紙幣カセット内に取り込んで収納し、出金取引において繰出紙幣カセット内の紙幣ＢＬを繰り出して顧客に出金する。また紙幣入出金機２１０は、繰出紙幣カセットの収納枚数が下限検知枚数未満になると、紙幣カセット準備処理として紙幣ＢＬの全部移動処理を行う。このため紙幣入出金機２１０は、入金取引において顧客から入金されたいずれの紙幣ＢＬについても、取り込んだ順に、すなわち十分に長い時間に渡って保持した後に繰り出すことができる。これにより紙幣入出金機２１０は、仮に入金取引において偽造紙幣を鑑別できずに取り込んだとしても、繰り出されるまでの間に鑑別情報が更新されることにより、この偽造紙幣を出金取引の際に鑑別して排除できるので、他の顧客に出金されることを未然に防ぐことができる。
【手続補正７３】
【補正対象書類名】明細書
【補正対象項目名】０２３１
【補正方法】変更
【補正の内容】
【０２３１】
［４．他の実施の形態］
なお上述した第１の実施の形態においては、繰出紙幣カセットである第１紙幣カセット１７Ａにおける紙幣ＢＬの残量が「０」であるか否かを準備条件とした場合について述べた。
【手続補正７４】
【補正対象書類名】明細書
【補正対象項目名】０２３２
【補正方法】変更
【補正の内容】
【０２３２】
しかしながら本発明はこれに限らず、例えば第２及び第３の実施の形態と同様に繰出紙幣カセットである第１紙幣カセット１７Ａにおいて収納枚数が下限検知枚数未満であるか否かを準備条件としても良く、或いは取込紙幣カセットである第２紙幣カセット１７Ｂにおいて収納枚数が上限検知枚数よりも多いか否かや、当該収納枚数が最大収納枚数であるか否かを準備条件としても良い。
【手続補正７５】
【補正対象書類名】明細書
【補正対象項目名】０２３３
【補正方法】変更
【補正の内容】
【０２３３】
すなわち準備条件としては、繰出紙幣カセットである第１紙幣カセット１７Ａから紙幣ＢＬを繰り出し得なくなったこと若しくは間もなく繰り出し得なくなること、又は取込紙幣カセットである第２紙幣カセット１７Ｂに紙幣ＢＬを取り込めなくなったこと若しくは間もなく取り込めなくなることを、何らかの手法により検知できれば良い。第２及び第３の実施の形態についても同様である。
【手続補正７６】
【補正対象書類名】明細書
【補正対象項目名】０２３９
【補正方法】変更
【補正の内容】
【０２３９】
さらに上述した第２の実施の形態においては、一部移動処理において、繰出カセットである第２紙幣カセット１７Ｂから紙幣ＢＬを一度接客部１２に移動させ、当該接客部１２から紙幣ＢＬを取込カセットである第１紙幣カセット１７Ａへ移動させるようにした場合について述べた。
【手続補正７７】
【補正対象書類名】明細書
【補正対象項目名】０２４０
【補正方法】変更
【補正の内容】
【０２４０】
しかしながら本発明はこれに限らず、例えば一時保留部１５のような紙幣ＢＬを一時的に収納し得る種々の箇所に一時的に移動させるようにしても良く、或いは第３の実施の形態と同様に、繰出カセットである第２紙幣カセット１７Ｂから紙幣ＢＬを取込紙幣カセットである第１紙幣カセット１７Ａへ直接移動させるようにしても良い。
【手続補正７８】
【補正対象書類名】明細書
【補正対象項目名】０２４６
【補正方法】変更
【補正の内容】
【０２４６】
さらに上述した実施の形態においては、２個の紙幣カセット１７に同一の金種を割り当てると共に、繰出カセット及び取込カセットを１個ずつ設定するようにした場合について述べた。
【手続補正７９】
【補正対象書類名】明細書
【補正対象項目名】０２４７
【補正方法】変更
【補正の内容】
【０２４７】
しかしながら本発明はこれに限らず、３個以上の紙幣カセット１７に同一の金種を割り当てると共に、繰出カセット及び取込カセットを少なくとも１個ずつ設定するようにしても良い。
【手続補正８０】
【補正対象書類名】図面
【補正対象項目名】図５
【補正方法】変更
【補正の内容】
【図５】
2015022615.tif 000014
【手続補正８１】
【補正対象書類名】図面
【補正対象項目名】図６
【補正方法】変更
【補正の内容】
【図６】
2015022615.tif 000015
【手続補正８２】
【補正対象書類名】図面
【補正対象項目名】図７
【補正方法】変更
【補正の内容】
【図７】
2015022615.tif 000016
【手続補正８３】
【補正対象書類名】図面
【補正対象項目名】図８
【補正方法】変更
【補正の内容】
【図８】
2015022615.tif 000017
【手続補正８４】
【補正対象書類名】図面
【補正対象項目名】図１０
【補正方法】変更
【補正の内容】
【図１０】
2015022615.tif 000018
【手続補正８５】
【補正対象書類名】図面
【補正対象項目名】図１１
【補正方法】変更
【補正の内容】
【図１１】
2015022615.tif 000019